(57)【要約】【課題】全体の小型化及び薄型化が図られたもとにあっても、アクチュエータが複数のコンタクトを配線板状部材に押圧接触するものとする押圧動作位置を維持した状態にあることを、電気的手法により認知することができるコネクタ装置を提供する。【解決手段】複数のコンタクト（１６；１７）を絶縁ハウジング（１３）に差し込まれたフレキシブル印刷配線基板（１２）に押圧接触するものとなす押圧動作位置をとるアクチュエータ（２５）と、絶縁ハウジングに設けられた実装用金属部材（２０；２１）と、絶縁ハウジングに設けられてアクチュエータが押圧動作位置をとるときフレキシブル印刷配線基板を係止する係止部材（５０；５１）とを備え、実装用金属部材が、アクチュエータが押圧動作位置を適正に維持するとき係止部材との電気的接続状態におかれる接触検知部を有する。【選択図】  図８
2018037264.tif 000002
【特許請求の範囲】
【請求項１】
板状部材差込み部が設けられて配線基板に配される絶縁ハウジングと、
該絶縁ハウジングに配列配置された複数のコンタクトと、
上記絶縁ハウジングに対して回動可能に設けられて上記複数のコンタクトに係合し、該複数のコンタクトを上記板状部材差込み部を通じて上記絶縁ハウジングに差し込まれた配線板状部材に押圧接触する状態をとるものとする押圧動作位置をとるアクチュエータと、
上記絶縁ハウジングにおける上記複数のコンタクトの配列方向の端部に配されて上記絶縁ハウジングの上記配線基板への実装に寄与する実装用金属部材と、
を備え、
上記実装用金属部材が、上記アクチュエータが上記押圧動作位置を適正に維持するとき上記絶縁ハウジングに設けられた導体部材との電気的接続状態におかれ、かつ、上記アクチュエータが上記押圧動作位置を適正に維持する状態にないとき上記導体部材との電気的接続状態から解放される接触検知部を有することを特徴とするコネクタ装置。
【請求項２】
上記絶縁ハウジングに配されて上記アクチュエータに係合し、上記アクチュエータが上記押圧動作位置をとるとき上記絶縁ハウジングに差し込まれた配線板状部材を係止する係止部材を備えていることを特徴とする請求項１記載のコネクタ装置。
【請求項３】
上記接触検知部が、上記実装用金属部材の本体部分から突出する腕状接触片部を成すことを特徴とする請求項１又は２記載のコネクタ装置。
【請求項４】
上記導体部材が上記複数のコンタクトのうちの一つであることを特徴とする請求項１記載のコネクタ装置。
【請求項５】
上記係止部材が導電性材料によって形成されており、上記導体部材が上記係止部材であることを特徴とする請求項２記載のコネクタ装置。
【請求項６】
上記導体部材が、上記アクチュエータが上記押圧動作位置をとるとき第１の位置をとるとともに上記アクチュエータが上記押圧動作位置をとらないとき上記第１の位置から変位した第２の位置をとる可動部分を有し、該可動部分の位置に応じて上記実装用金属部材が有する接触検知部に上記電気的接続状態と該電気的接続状態から解放された状態とを選択的にとらせることを特徴とする請求項１，４又は５記載のコネクタ装置。
【請求項７】
上記実装用金属部材と上記導体部材とが、上記絶縁ハウジングにおける上記複数のコンタクトの配列方向の両端部の夫々に配されていることを特徴とする請求項１記載のコネクタ装置。
【発明の詳細な説明】
【技術分野】
【０００１】
本願の特許請求の範囲に記載された発明は、ソリッド印刷配線基板等とされる配線基板に固定されて、フレキシブル印刷配線基板（ＦＰＣ）や平板状ケーブル（ＦＦＣ）等の配線板状部材が装着される絶縁ハウジングと、絶縁ハウジングに配されて配線基板に電気的に連結される複数のコンタクトと、絶縁ハウジングに対して回動可能とされ、複数のコンタクトに絶縁ハウジングに装着された配線板状部材に当接する状態を取らせるアクチュエータとを備えたコネクタ装置に関する。
【背景技術】
【０００２】
各種の電子機器に実装される比較的小型なフレキシブル印刷配線基板や平板状ケーブル等の配線板状部材は、様々な電気部品が取り付けられる配線基板への取付けが、当該配線基板に電気的接続がなされて固定されたコネクタ装置が用いられて行われることが多いものとされる。このような配線板状部材の配線基板への取付けにあたって用いられるコネクタ装置は、配線板状部材に接触接続される導電性のコンタクトを有していて、そのコンタクトを介して、配線板状部材を配線基板に電気的に連結する。
【０００３】
従来提案されている、例えば、フレキシブル印刷配線基板とされる配線板状部材の配線基板への取付けに用いられるコネクタ装置は、配線板状部材が差し込まれる板状部材差込み部が設けられたものとされて配線基板に配される、絶縁材料によって形成された絶縁ハウジングを有したものとされる。そして、斯かるコネクタ装置には、絶縁ハウジングに配列配置されて設けられ、配線板状部材が板状部材差込み部を通じて絶縁ハウジングに差し込まれたとき、その配線板状部材に対向もしくは対接するものとなる複数のコンタクトと、絶縁ハウジングに対して回動可能に設けられ、複数のコンタクトの夫々に係合して、回動せしめられるとき複数のコンタクトの夫々における少なくとも一部分を変位させ、それにより複数のコンタクトを配線板状部材に押圧接触させるアクチュエータとが備えられる。
【０００４】
アクチュエータは、例えば、全体が複数のコンタクトの配列方向に沿って伸びる細長形状を成し、カム部と操作部とが設けられていて、カム部が複数のコンタクトの夫々と係合するもとで操作部が操作されることにより、絶縁ハウジングに対して回動せしめられるものとされており、第１の静止位置と第２の静止位置とを選択的にとる。
【０００５】
複数のコンタクトの各々は、導電性の弾性材料で形成され、絶縁ハウジングに固定される部分を有した固定部と連結部により固定部に連結されて変位可能とされる可動部とを有するものされる。そして、固定部は、絶縁ハウジングが配された配線基板における印刷配線部等の配線部に電気的に接続され、また、可動部は、配線板状部材に設けられた接触端子部に当接する接触部が設けられたもとで、アクチュエータのカム部によって変位せしめられる。
【０００６】
斯かるコネクタ装置にあっては、配線基板に配された絶縁ハウジングに板状部材差込み部を通じて配線板状部材が差し込まれたもとで、アクチュエータが第１の静止位置から第２の静止位置へと所定の方向に回動せしめられたときには、当該アクチュエータは、複数のコンタクトの夫々における可動部を変位させて、当該可動部の接触部を配線板状部材に押圧当接させ、複数のコンタクトを配線板状部材に押圧接触する状態をとるものとする。それにより、第２の静止位置は、押圧動作位置を成すことになる。また、複数のコンタクトが配線板状部材に押圧接触する状態をとるもとで、アクチュエータが第２の静止位置から第１の静止位置へと上述の所定の方向とは逆の方向に回動せしめられたときには、当該アクチュエータは、複数のコンタクトの夫々における可動部を変位させて、当該可動部の接触部を配線板状部材に対する押圧当接から解放し、複数のコンタクトを配線板状部材に押圧接触する状態を解除するものとする。それにより、第１の静止位置は、押圧動作解除位置を成すことになる。即ち、アクチュエータは、複数のコンタクトを配線板状部材に押圧接触する状態をとるものとする押圧動作位置と、複数のコンタクトを配線板状部材に押圧接触する状態を解除するものとする押圧動作解除位置と、を選択的にとることになる。
【０００７】
このような従来提案されているコネクタ装置においては、実用に供されるにあたって、アクチュエータが複数のコンタクトを配線板状部材に押圧接触する状態をとるものとする押圧動作位置を適正にとって、その押圧動作位置を適正に維持している状態におかれていることを、必要に応じて確認できるものとされることが望まれている。近年のように、コネクタ装置の小型化・薄型化が極度に図られるもとにあっては、アクチュエータが押圧動作位置を適正にとった状態にあるか否かの判別は、一目瞭然という訳にはいかないからである。
【０００８】
そのため、上述のような、絶縁ハウジングを有し、複数のコンタクトと絶縁ハウジングに対して回動可能とされたアクチュエータとを備えたコネクタ装置であって、アクチュエータが複数のコンタクトを配線板状部材に押圧接触する状態をとるものとする押圧動作位置を適正にとったことを、当該アクチュエータの回動操作を通じて認知することができるようにされたものが従来提案されている（例えば、特許文献１参照。）。
【０００９】
特許文献１に示されるコネクタ装置（平型ケーブル用電気コネクタ) にあっては、絶縁ハウジング（ハウジング(10)）に、複数のコンタクト（端子(20)) が配列配置されて設けられるとともに、アクチュエータ（可動部材(30)) が回動可能に設けられて構成されている。絶縁ハウジングには、配線板状部材（平型ケーブル(C))が板状部材差込み部 (端子受入孔(11)) を通じて差し込まれる。そして、アクチュエータが、複数のコンタクトを配線板状部材に押圧接触する状態をとるものとする押圧動作位置をとるときには、アクチュエータに設けられたカム部(33)が複数のコンタクトの夫々に設けられた凹部(21B) に収まるものとされる。
【００１０】
アクチュエータに設けられたカム部が複数のコンタクトの夫々に設けられた凹部に収まる状態は、アクチュエータに絶縁ハウジングに対する回動操作が加えられ、それに伴ってカム部が回動せしめられることによって得られる。その際、回動するカム部は、複数のコンタクトの夫々に凹部に隣接するものとして設けられた凸部(21D）を乗り越えて凹部に納まるものとなる。それにより、アクチュエータに回動操作を加える操作者は、カム部が凸部を乗り越えて凹部に納まる際にクリック感といわれる機械的感触を得ることになる。
【００１１】
このように、アクチュエータが複数のコンタクトを配線板状部材に押圧接触する状態をとるものとする押圧動作位置をとるときには、アクチュエータに設けられたカム部が複数のコンタクトの夫々に設けられた凸部を乗り越えて凹部に納まることによるクリック感が得られるので、斯かる機械的感触によって、アクチュエータが押圧動作位置をとったことを認知することができることになる。
【先行技術文献】
【特許文献】
【００１２】
【特許文献１】特開２００７−４８４９９号公報
【発明の概要】
【発明が解決しようとする課題】
【００１３】
上述のように、アクチュエータが複数のコンタクトを配線板状部材に押圧接触する状態をとるものとする押圧動作位置をとるとき、アクチュエータに設けられたカム部が複数のコンタクトの夫々に設けられた凸部を乗り越えて凹部に納まることによるクリック感が得られるようにされた従来のコネクタ装置にあっては、当該クリック感といわれる機械的感触をもってアクチュエータが押圧動作位置をとったことを認知することができるが、斯かるクリック感はアクチュエータが押圧動作位置をとる際に得られるものであるので、一旦アクチュエータが押圧動作位置をとった後においては、アクチュエータが押圧動作位置を適正にとってその押圧動作位置を適正に維持しているか否かを認知することがでないという不都合がある。また、上述のクリック感は、アクチュエータに回動操作を加える操作者が得ることができる機械的感触であるので、操作者以外の者は、アクチュエータが、複数のコンタクトを配線板状部材に押圧接触する状態をとるものとする押圧動作位置を適正にとって、押圧動作位置を適正に維持した状態にあることを認知することができないという不都合もある。
【００１４】
斯かる点に鑑み、本願の特許請求の範囲に記載された発明は、例えば、フレキシブル印刷配線基板とされる配線板状部材の配線基板への取付けに用いられる、板状部材差込み部が設けられて配線基板に配される絶縁ハウジングに複数のコンタクトが配列配置されて配されるとともに、複数のコンタクトに係合するアクチュエータが絶縁ハウジングに対して回動可能とされて設けられ、アクチュエータが複数のコンタクトを絶縁ハウジングに差し込まれた配線板状部材に押圧接触する状態をとるものとする押圧動作位置をとるコネクタ装置であって、その全体の小型化及び薄型化が図られたもとにあっても、アクチュエータが押圧動作位置を適正にとってその押圧動作位置を適正に維持した状態にあることを、機械的感触に頼ることなく、電気的手法により認知することができるものを提供する。
【課題を解決するための手段】
【００１５】
本願の特許請求の範囲における請求項１から請求項７までのいずれかに記載された発明（以下、本願発明という。）に係るコネクタ装置は、板状部材差込み部が設けられて配線基板に配される絶縁ハウジングと、絶縁ハウジングに配列配置された複数のコンタクトと、絶縁ハウジングに対して回動可能に設けられて複数のコンタクトに係合し、複数のコンタクトを板状部材差込み部を通じて絶縁ハウジングに差し込まれた配線板状部材に押圧接触する状態をとるものとする押圧動作位置をとるアクチュエータと、絶縁ハウジングにおける複数のコンタクトの配列方向の端部に配されて絶縁ハウジングの配線基板への実装に寄与する実装用金属部材とを備えて構成され、実装用金属部材が、アクチュエータが押圧動作位置を適正に維持するとき絶縁ハウジングに設けられた導体部材との電気的接続状態におかれ、かつ、アクチュエータが押圧動作位置を適正に維持する状態にないとき絶縁ハウジングに設けられた導体部材との電気的接続状態から解放される接触検知部を有することを特徴とするものとされる。
【００１６】
斯かる本願発明に係るコネクタ装置の一例においては、ハウジングに配されてアクチュエータに係合し、アクチュエータが押圧動作止位置をとるとき、絶縁ハウジングに差し込まれた配線板状部材を係止する係止部材を備えたものとされる。
【００１７】
そして、実装用金属部材が有する接触検知部がそれとの電気的接続状態におかれる絶縁ハウジングに設けられた導体部材は、例えば、係止部材が導電性材料によって形成されたもとにおける当該係止部材、あるいは、複数のコンタクトのうちの少なくとも一つとされる。
【００１８】
上述のように構成される本願発明に係るコネクタ装置は、実際に使用される際には、絶縁ハウジングが、例えば、実装用金属部材が配線基板に半田付けにより固定されるもとで、配線基板に実装されるものとされる。このような本願発明に係るコネクタ装置にあっては、配線基板に実装された絶縁ハウジングに板状部材差込み部を通じて配線板状部材が差し込まれたもとで、アクチュエータが、絶縁ハウジングに配列配置された複数のコンタクトを絶縁ハウジングに差し込まれた配線板状部材に押圧接触する状態をとるものとする押圧動作止位置をとる状態におかれる。
【００１９】
そして、本願発明に係るコネクタ装置の一例にあっては、配線基板に実装された絶縁ハウジングに板状部材差込み部を通じて配線板状部材が差し込まれたもとで、アクチュエータが押圧動作位置を適正にとるものとされると、絶縁ハウジングに差し込まれた配線板状部材が、絶縁ハウジングに配されてアクチュエータに係合する係止部材によって係止され、当該配線板状部材の絶縁ハウジングからの抜脱が阻止される。
【００２０】
斯かるもとで、本願発明に係るコネクタ装置においては、アクチュエータが押圧動作位置を適正に維持するものとされるとき、実装用金属部材が有する接触検知部が、例えば、係止部材が導電性材料によって形成されたもとにおける当該係止部材、あるいは、複数のコンタクトのうちの少なくとも一つとされる、絶縁ハウジングに設けられた導体部材との電気的接続状態におかれる。斯かる実装用金属部材が有する接触検知部のハウジングに設けられた導体部材との電気的接続状態は、アクチュエータが押圧動作位置を適正に維持する状態にないものとされるとき解除される。
【００２１】
実装用金属部材が有する接触検知部と絶縁ハウジングに設けられた導体部材との電気的接続状態は、例えば、絶縁ハウジングに設けられた導体部材を成す、係止部材が導電性材料によって形成されたもとにおける当該係止部材、あるいは、複数のコンタクトのうちの少なくとも一つが、アクチュエータ押圧動作位置をとるとき第１の位置をとり、アクチュエータが押圧動作位置をとらないとき第１の位置から変位した第２の位置をとる可動部分を有していて、第１の位置をとる可動部分が実装用金属部材が有する接触検知部に当接することにより得られる。
【発明の効果】
【００２２】
上述の本願発明に係るコネクタ装置にあっては、絶縁ハウジングに板状部材差込み部を通じて配線板状部材が差し込まれたもとで、アクチュエータが押圧動作位置を適正にとるものとされると、アクチュエータが係合する複数のコンタクトが、絶縁ハウジングに差し込まれた配線板状部材に押圧接触する状態をとるものとされ、その際、本願発明に係るコネクタ装置の一例にあっては、絶縁ハウジングに差し込まれた配線板状部材が、係止部材によって係止されて絶縁ハウジングからの抜脱が阻止される。そして、斯かるもとにおいて、本願発明に係るコネクタ装置においては、絶縁ハウジングに板状部材差込み部を通じて配線板状部材が差し込まれたもとで、アクチュエータが押圧動作位置を適正に維持するものとされるとき、実装用金属部材が有する接触検知部が、例えば、係止部材が導電性材料によって形成されたもとにおける当該係止部材、あるいは、複数のコンタクトのうちの少なくとも一つとされる絶縁ハウジングに設けられた導電部材との電気的接続状態におかれる。このようにして得られる、実装用金属部材が有する接触検知部の絶縁ハウジングに設けられた導体部材との電気的接続状態は、アクチュエータが押圧動作位置を適正に維持する状態にないものとされるとき解除される。
【００２３】
それにより、アクチュエータが、絶縁ハウジングに配列配置された複数のコンタクトを絶縁ハウジングに差し込まれた配線板状部材に押圧接触する状態をとるものとする押圧動作位置を適正に維持するものとされた状態にあることを、実装用金属部材が有する接触検知部が絶縁ハウジングに設けられた導体部材との電気的接続状態におかれていること、即ち、例えば、係止部材が導電性材料によって形成されたもとにおける当該係止部材、あるいは、複数のコンタクトのうちの少なくとも一つが成す絶縁ハウジングに設けられた導体部材と、実装用金属部材が有する接触検知部とが、電気的導通状態にあることを検出する電気的手法により、確実に認知することができる。
【００２４】
その結果、本願発明に係るコネクタ装置によれば、その全体の小型化及び薄型化が図られたもとにあっても、アクチュエータが複数のコンタクトの夫々を配線板状部材に押圧接触する状態をとるものとする押圧動作位置を適正にとってその押圧動作位置を適正に維持した状態にあることを、機械的感触に頼ることなく、随時必要に応じて、電気的手法により認知することができることになる。
【図面の簡単な説明】
【００２５】
【図１】本願発明に係るコネクタ装置の第１の例を、それが実装された配線基板及びそれに装着されるフレキシブル印刷配線基板と共に示す斜視図である。
【図２】本願発明に係るコネクタ装置の第１の例に備えられる実装用金属部材を単独で示す斜視図である。
【図３】配線基板に実装された本願発明に係るコネクタ装置の第１の例にフレキシブル印刷配線基板が装着された状態を示す斜視図である。
【図４】本願発明に係るコネクタ装置の第１の例にフレキシブル印刷配線基板が装着された状態を示す平面図である。
【図５】図４における V−V 線断面を示す断面図である。
【図６】図４におけるVI−VI線断面を示す断面図である。
【図７】配線基板に実装された本願発明に係るコネクタ装置の第１の例にフレキシブル印刷配線基板が装着されたもとで、本願発明に係るコネクタ装置の第１の例に備えられたアクチュエータが押圧動作位置をとった状態を示す斜視図である。
【図８】配線基板に実装された本願発明に係るコネクタ装置の第１の例にフレキシブル印刷配線基板が装着されたもとで、本願発明に係るコネクタ装置の第１の例に備えられたアクチュエータが押圧動作位置をとった状態を示す平面図である。
【図９】図８におけるIX−IX線断面を示す断面図である。
【図１０】図８における X−X 線断面を示す断面図である。
【図１１】図８におけるXI−XI線断面を示す断面図である。
【図１２】本願発明に係るコネクタ装置の第１の例が備える導電性材料によって形成された係止部材と実装用金属部材が有する接触検知部とが電気的接続状態におかれたことを検出するための検出手段の一例の説明に供される概念図である。
【図１３】本願発明に係るコネクタ装置の第２の例を、それが実装された配線基板及びそれに装着されるフレキシブル印刷配線基板と共に示す斜視図である。
【図１４】本願発明に係るコネクタ装置の第２の例に備えられる実装用金属部材を単独で示す斜視図である。
【図１５】配線基板に実装された本願発明に係るコネクタ装置の第２の例にフレキシブル印刷配線基板が装着された状態を示す断面図である。
【図１６】配線基板に実装された本願発明に係るコネクタ装置の第２の例にフレキシブル印刷配線基板が装着されたもとで、本願発明に係るコネクタ装置の第２の例に備えられたアクチュエータが押圧動作位置をとった状態を示す斜視図である。
【図１７】本願発明に係るコネクタ装置の第２の例が備える複数のコンタクトのうちの一つと実装用金属部材が有する接触検知部とが電気的接続状態におかれた状況を示す断面図である。
【図１８】本願発明に係るコネクタ装置の第２の例が備える複数のコンタクトのうちの一つと実装用金属部材が有する接触検知部とが電気的接続状態におかれたことを検出するための検出手段の一例の説明に供される概念図である。
【発明を実施するための形態】
【００２６】
本願発明を実施するための形態は、以下に述べられる本願発明についての実施例をもって説明される。
【実施例１】
【００２７】
図１（斜視図）は、本願発明に係るコネクタ装置の第１の例を成すコネクタ装置１０を、それが実装された配線基板１１及びそれに装着される配線板状部材を成すフレキシブル印刷配線基板１２と共に示す。
【００２８】
図１において、コネクタ装置１０は、合成樹脂等の絶縁材料によって形成され、電子機器等の配線基板１１に配される絶縁ハウジング１３を備えている。絶縁ハウジング１３には、その正面側端縁部に、フレキシブル印刷配線基板１２が差し込まれる状態がとられる板状部材差込み部１４が設けられており、板状部材差込み部１４から絶縁ハウジング１３の内部へと板状部材収容部１５（後述される図５及び図６に示されている。）が拡がっている。即ち、絶縁ハウジング１３には、その内部に、板状部材収容部１５が板状部材差込み部１４に連結されたものとして設けられていて、板状部材差込み部１４を通じて絶縁ハウジング１３に差し込まれたフレキシブル印刷配線基板１２が板状部材収容部１５に部分的に収容されるのである。そして、絶縁ハウジング１３は、図１において矢印Ｌにより示される方向を長手方向とするものとされている。
【００２９】
また、絶縁ハウジング１３には、各々が弾性導電材料で形成された複数の第１のコンタクト１６と各々が弾性導電材料で形成された複数の第２のコンタクト１７とが、絶縁ハウジング１３の長手方向に沿う方向において交互に配される状態のもとに配列配置されて設けられている。複数の第１のコンタクト１６の夫々は、その大部分が絶縁ハウジング１３の内部に収容されたものとされているが、後述される図４に示されるように、一端部が絶縁ハウジング１３における正面側端縁部に対向する背面側端縁部からその外部に突出して接続端子部１６ａを形成している。また、複数の第２のコンタクト１７の夫々も、その大部分が絶縁ハウジング１３の内部に収容されたものとされているが、図１に示されるように、一端部が絶縁ハウジング１３における正面側端縁部からその外部に突出して接続端子部１７ａを形成している。
【００３０】
コネクタ装置１０が実用に供される際には、絶縁ハウジング１３が、電子機器等の配線基板１１に固定されるが、絶縁ハウジング１３における長手方向である複数の第１のコンタクト１６及び複数の第２のコンタクト１７の配列方向（以下、コンタクト配列方向という。）の一対の端部１８及び端部１９（両端部）には、一対の実装用金属部材２０及び実装用金属部材２１が夫々配されていて、これらの実装用金属部材２０及び実装用金属部材２１が、絶縁ハウジング１３が配線基板１１に固定されてコネクタ装置１０が配線基板１１に実装されるにあたって配線基板１１に取り付けられる。それにより、一対の実装用金属部材２０及び実装用金属部材２１は、コネクタ装置１０の配線基板１１への実装に寄与するものとなる。
【００３１】
さらに、絶縁ハウジング１３における背面側端縁部側には、コンタクト配列方向、即ち、絶縁ハウジング１３の長手方向に沿って伸び、その長手方向が絶縁ハウジング１３の長手方向に一致することになるアクチュエータ２５が、絶縁ハウジング１３に対して回動可能に設けられている。このアクチュエータ２５は、図１に示されるような、絶縁ハウジング１３に対して起き上がった状態におかれるものとされる位置を、第１の静止位置としてとることができ、また、後述される図７〜図１０に示されるような、絶縁ハウジング１３に対して伏した状態におかれるものとされる位置を、第２の静止位置としてとることができて、回動操作されることにより、第１の静止位置から第２の静止位置への移行、あるいは、第２の静止位置から第１の静止位置への移行を行うものとされている。
【００３２】
アクチュエータ２５は、全体として、板状体を成すものとされており、斯かるアクチュエータ２５には、その長手方向に沿って配列配置された複数の透孔２６が形成されている。これらの透孔２６の夫々は、アクチュエータ２５が絶縁ハウジング１３に対して回動可能に設けられて第１の静止位置をとるとき、絶縁ハウジング１３に配列配置されて交互に配された複数の第１のコンタクト１６及び複数の第２のコンタクト１７の夫々における絶縁ハウジング１３の背面側端縁部側の端部が貫通するものとされている。そして、複数の透孔２６の夫々の内部には、アクチュエータ２５が絶縁ハウジング１３に対して回動可能に設けられたもとで、絶縁ハウジング１３に配列配置されて交互に配された複数の第１のコンタクト１６及び複数の第２のコンタクト１７の夫々における絶縁ハウジング１３の背面側端縁部側の端部に係合するカム部２７（後述される図５及び図９に示されている。）が、例えば、楕円状の断面形状を有するものとして設けられており、従って、アクチュエータ２５には、その長手方向に沿って複数のカム部２７が配列配置されて設けられていることになる。さらに、アクチュエータ２５には、その長手方向の両端部に複数のカム部２７を挟むものとして夫々配された一対のカム部２８（後述される図６及び図１０に示されている。）が設けられており、これら一対のカム部２８は、後述される係止部材５０における絶縁ハウジング１３の背面側端縁部側の端部及び後述される係止部材５１における絶縁ハウジング１３の背面側端縁部側の端部に夫々係合するものとされていて、各々が楕円状の断面形状を有している。
【００３３】
絶縁ハウジング１３に配列配置されて設けられた複数の第１のコンタクト１６の夫々は、図５及び図９に示されるように、金属板材等の弾性導電材料で形成された、全体として「エ」字状を成す板状部材とされている。このような「エ」字状とされた第１のコンタクト１６にあっては、連結部３５によって相互連結された一対のビーム部３６及び３７のうち、ビーム部３６が絶縁ハウジング１３に固定される部分を有したものとされ、また、ビーム部３７が可動作動部を成すものとされる。そして、ビーム部３６の板状部材差込み部１４側の部分とビーム部３７の板状部材差込み部１４側の部分とは、絶縁ハウジング１３の厚み方向において相互対向するものとされて絶縁ハウジング１３内の板状部材収容部１５に配されている。そして、ビーム部３６における絶縁ハウジング１３の背面側端縁部側の端部は、絶縁ハウジング１３の背面側端縁部からその外部に導出されて接続端子部１６ａを成すものとされており、絶縁ハウジング１３が配される配線基板１１に設けられた配線部に含まれる配線端子部に、例えば、半田付けによって接続される。また、ビーム部３７における絶縁ハウジング１３の正面側端縁部側の端部は、フレキシブル印刷配線基板１２が板状部材差込み部１４を通じて絶縁ハウジング１３に差し込まれたとき、そのフレキシブル印刷配線基板１２に当接する接触部１６ｂを形成しており、ビーム部３６における絶縁ハウジング１３の正面側端縁部側の端部３６ｂに対向配置されている。
【００３４】
さらに、絶縁ハウジング１３に配列配置されて設けられた複数の第２のコンタクト１７の夫々も、図示が省略されているが、金属板材等の弾性導電材料により第１のコンタクト１６と同様に形成されており、全体として「エ」字状を成す板状部材とされている。このような「エ」字状とされた第２のコンタクト１７にあっても、第１のコンタクト１６と同様に、連結部によって相互連結された一対のビーム部のうちの一方が絶縁ハウジング１３に固定される部分を有したものとされて他方が可動作動部を成すものとされる。絶縁ハウジング１３に固定される部分を有したビーム部の板状部材差込み部１４側の部分と可動作動部を成すビーム部の板状部材差込み部１４側の部分とは、絶縁ハウジング１３の厚み方向において相互対向するものとされて絶縁ハウジング１３内の板状部材収容部１５に配されている。そして、絶縁ハウジング１３に固定される部分を有したビーム部における絶縁ハウジング１３の正面側端縁部側の端部は、絶縁ハウジング１３の正面側端縁部からその外部に導出されて接続端子部１７ａを成すものとされており、絶縁ハウジング１３が配される配線基板１１に設けられた配線部に含まれる配線端子部に、例えば、半田付けによって接続される。また、可動作動部を成すビーム部における絶縁ハウジング１３の正面側端縁部側の端部は、フレキシブル印刷配線基板１２が板状部材差込み部１４を通じて絶縁ハウジング１３に差し込まれたとき、そのフレキシブル印刷配線基板１２に当接する接触部を形成しており、絶縁ハウジング１３に固定される部分を有したビーム部における絶縁ハウジング１３の正面側端縁部側の部分に対向配置されている。
【００３５】
斯かるもとで、絶縁ハウジング１３に対して回動可能に配されたアクチュエータ２５に配列配置されて設けられた複数のカム部２７のうちの一つおきのものが、図５及び図９に示されるように、複数の第１のコンタクト１６のうちの対応するものにおける、ビーム部３６の接続端子部１６ａを成す端部の近傍となる部分３６ａと、それに対向するビーム部３７の端部３７ａとに挟まれていて、アクチュエータ２５の回動に伴って回動する状態におかれる。また、複数のカム部２７のうちの他の一つおきのものが、複数の第２のコンタクト１７のうちの対応するものにおける、絶縁ハウジング１３に固定される部分を有したビーム部の絶縁ハウジング１３の背面側端縁部側の端部と、それに対向する可動作動部を成すビーム部の絶縁ハウジング１３の背面側端縁部側の端部とに挟まれていて、アクチュエータ２５の回動に伴って回動する状態におかれる。
【００３６】
そして、絶縁ハウジング１３における長手方向の両端部である一対の端部１８及び端部１９に夫々配された一対の実装用金属部材２０及び実装用金属部材２１のうちの実装用金属部材２０は、金属板材に打抜き屈曲加工が施されて形成されていて、図２に単独で示されるように、絶縁ハウジング１３の端部１８に設けられた係合凹部１８ａに係合して絶縁ハウジング１３に固定される本体部分４１と、本体部分４１の一端に設けられた基板接続部４２と、本体部分４１の他端から突出する腕状接触片部を成す接触検知部４３とが設けられている。接触検知部４３は、実装用金属部材２０が絶縁ハウジング１３の端部１８に配されたもとで、本体部分４１の他端からコンタクト配列方向に沿って絶縁ハウジング１３の端部１９に向かって突出するものとされている。
【００３７】
また、一対の実装用金属部材２０及び実装用金属部材２１のうちの実装用金属部材２１も、金属板材に打抜き屈曲加工が施されて、実装用金属部材２０と対称体を成すものとして形成されており、実装用金属部材２０における本体部分４１，基板接続部４２及び接触検知部４３に夫々相当する、絶縁ハウジング１３の端部１９に設けられた係合凹部１９ａに係合して絶縁ハウジング１３に固定される本体部分４４，基板接続部４５及び接触検知部４６が設けられている。そして、図１に示されるように、接触検知部４６は、実装用金属部材２１が絶縁ハウジング１３の端部１９に配されたもとで、本体部分４４からコンタクト配列方向に沿って絶縁ハウジング１３の端部１８に向かって突出するものとされている。
【００３８】
さらに、絶縁ハウジング１３には、その長手方向、即ち、コンタクト配列方向の両端部である端部１８及び端部１９の夫々の内部に、各々の一部分を絶縁ハウジング１３における正面側端縁部側から絶縁ハウジング１３外に突出させる一対の係止部材５０及び係止部材５１が夫々配されている。これら一対の係止部材５０及び係止部材５１のうちの係止部材５０は、図６及び図１０に示されるように、金属板材等の弾性導電材料で形成された、全体として「エ」字状を成す板状部材とされている。このような「エ」字状とされた係止部材５０にあっては、連結部５２によって相互連結された一対のビーム部５３及び５４のうち、ビーム部５３が絶縁ハウジング１３に固定される部分を有したものとされ、また、ビーム部５４が可動作動部を成すものとされる。ビーム部５３の板状部材差込み部１４側の部分とビーム部５４の板状部材差込み部１４側の部分とは、絶縁ハウジング１３の厚み方向において相互対向するものとされて絶縁ハウジング１３内の板状部材収容部１５に配されている。そして、ビーム部５３における絶縁ハウジング１３の正面側端縁部側の端部は、絶縁ハウジング１３の正面側端縁部からその外部に導出されて接続端子部５０ａを成すものとされており、絶縁ハウジング１３が配される配線基板１１に配線部から外れたものとして設けられた接続固定部に接続される。また、ビーム部５４における絶縁ハウジング１３の正面側端縁部側の端部は、フレキシブル印刷配線基板１２が板状部材差込み部１４を通じて絶縁ハウジング１３に差し込まれたとき、そのフレキシブル印刷配線基板１２を係止すべく当該フレキシブル印刷配線基板１２に係合する係合係止部５０ｂを形成している。
【００３９】
また、一対の係止部材５０及び係止部材５１のうちの係止部材５１も、図示が省略されているが、金属板材等の弾性導電材料により係止部材５０と同様に形成されており、全体として「エ」字状を成す板状部材とされている。このような「エ」字状とされた係止部材５１にあっても、係止部材５０と同様に、連結部によって相互連結された一対のビーム部のうちの一方が絶縁ハウジング１３に固定される部分を有したものとされて他方が可動作動部を成すものとされる。絶縁ハウジング１３に固定される部分を有したビーム部の板状部材差込み部１４側の部分と可動作動部を成すビーム部の板状部材差込み部１４側の部分とは、絶縁ハウジング１３の厚み方向において相互対向するものとされて絶縁ハウジング１３内の板状部材収容部１５に配されている。そして、絶縁ハウジング１３に固定される部分を有したビーム部における絶縁ハウジング１３の正面側端縁部側の端部は、絶縁ハウジング１３の正面側端縁部からその外部に導出されて接続端子部を成すものとされており、絶縁ハウジング１３が配される配線基板１１に配線部から外れたものとして設けられた接続固定部に接続される。また、可動作動部を成すビーム部における絶縁ハウジング１３の正面側端縁部側の端部は、フレキシブル印刷配線基板１２が板状部材差込み部１４を通じて絶縁ハウジング１３に差し込まれたとき、そのフレキシブル印刷配線基板１２を係止すべく当該フレキシブル印刷配線基板１２に係合する係合係止部を形成している。
【００４０】
斯かるもとで、絶縁ハウジング１３に対して回動可能に配されたアクチュエータ２５に設けられた一対のカム部２８のうちの一方が、図６及び図１０に示されるように、係止部材５０のビーム部５３における絶縁ハウジング１３の背面側端縁部側の端部５３ａと、それに対向するビーム部５４における絶縁ハウジング１３の背面側端縁部側の端部５４ａとに挟まれていて、アクチュエータ２５の回動に伴って回動する状態におかれる。また、一対のカム部２８のうちの他方が、図示が省略されているが、係止部材５１の絶縁ハウジング１３に固定される部分を有したビーム部における絶縁ハウジング１３の背面側端縁部側の端部と、それに対向する可動作動部を成すビーム部における絶縁ハウジング１３の背面側端縁部側の端部とに挟まれていて、アクチュエータ２５の回動に伴って回動する状態におかれる。
【００４１】
絶縁ハウジング１３における端部１８の内部及び端部１９の内部に夫々配された係止部材５０及び係止部材５１にあっては、係止部材５０における可動作動部を成すビーム部５４が、その一部分を絶縁ハウジング１３の端部１８に配された実装用金属部材２０における接触検知部４３に対応する位置をとるものとされるとともに、係止部材５１における可動作動部を成すビーム部が、その一部分を絶縁ハウジング１３の端部１９に配された実装用金属部材２１における接触検知部４６に対応する位置をとるものとされる。
【００４２】
このようにして、端部１８に実装用金属部材２０が配されるとともに端部１８の内部に係止部材５０が配され、また、端部１９に実装用金属部材２１が配されるとともに端部１９の内部に係止部材５１が配されて成る絶縁ハウジング１３を備えたコネクタ装置１０が、配線基板１１に実装される際には、実装用金属部材２０における本体部分４１の一端に設けられた基板接続部４２及び実装用金属部材２１における本体部分４４の一端に設けられた基板接続部４５の夫々が、例えば、半田付けによって配線基板１１に設けられた接地接続部に接続されて固定される。それにより、絶縁ハウジング１３の全体が配線基板１１に固定される状態をもって、コネクタ装置１０が配線基板１１に実装される。
【００４３】
板状部材差込み部１４を通じて絶縁ハウジング１３に挿入されるフレキシブル印刷配線基板１２には、その一端部において、複数の第１の接触端子部６１と複数の第２の接触端子部６２とが、絶縁ハウジング１３に対する板状部材差込み部１４を通じた差込みまたは抜出し方向に直交する方向において交互に配される状態のもとに配列配置されている。（以下、複数の第１の接触端子部６１と複数の第２の接触端子部６２とが配列配置されたフレキシブル印刷配線基板１２の一端部を端子端部６３という。）。また、フレキシブル印刷配線基板１２の端子端部６３は、それに配列配置された複数の第１の接触端子部６１及び複数の第２の接触端子部６２をそれらの配列方向において挟んで相互対向する一対の側端部６４と側端部６５とを有しており、側端部６４に切欠き係合部６６が形成されているとともに、側端部６５に切欠き係合部６７が形成されている。さらに、フレキシブル印刷配線基板１２にあっては、端子端部６３及び相互対向する側端部６４と側端部６５とに連なって回路構成部６８が広がっている。
【００４４】
なお、配線板状部材を成すフレキシブル印刷配線基板１２は、図１に示されるような、一対の切欠き係合受部６６及び６７に代えて、一対の透孔とされた係合受部が端子端部６３が有する側端部６４及び側端部６５に夫々に形成されたものとされてもよい。
【００４５】
上述のコネクタ装置１０にあっては、アクチュエータ２５が第１の静止位置をとるもとにおいて、図１に示される状態におかれた配線板状部材としてのフレキシブル印刷配線基板１２が、その端子端部６３をもって、絶縁ハウジング１３に、板状部材差込み部１４を通じて、絶縁ハウジング１３の長手方向に直交する奥行き方向に沿って差し込まれるものとされる。それにより、図３及び図４に示されるように、フレキシブル印刷配線基板１２の端子端部６３が、板状部材差込み部１４を通じて絶縁ハウジング１３に差し込まれ、絶縁ハウジング１３内の板状部材収容部１５に部分的に収容された状態におかれる。
【００４６】
このようにして、フレキシブル印刷配線基板１２の端子端部６３が絶縁ハウジング１３内の板状部材収容部１５に部分的に収容されたもとにあっては、フレキシブル印刷配線基板１２の端子端部６３は、板状部材収容部１５内において、図４における V−V 線断面を示す図５に示されるように、複数の第１のコンタクト１６の夫々における絶縁ハウジング１３に固定される部分を有したビーム部３６の板状部材差込み部１４側の部分と可動作動部を成すビーム部３７の板状部材差込み部１４側の部分との間、及び、図示が省略されているが、複数の第２のコンタクト１７の夫々における絶縁ハウジング１３に固定される部分を有したビーム部の板状部材差込み部１４側の部分と可動作動部を成すビーム部の板状部材差込み部１４側の部分との間に配される。さらに、図４におけるVI−VI線断面を示す図６に示されるように、板状部材収容部１５内におけるフレキシブル印刷配線基板１２の端子端部６３が有する側端部６４は、係止部材５０における絶縁ハウジング１３に固定される部分を有したビーム部５３の板状部材差込み部１４側の部分と可動作動部を成すビーム部５４の板状部材差込み部１４側の部分との間に配され，また、図示が省略されているが、板状部材収容部１５内におけるフレキシブル印刷配線基板１２の端子端部６３が有する側端部６５は、係止部材５１における絶縁ハウジング１３に固定される部分を有したビーム部の板状部材差込み部１４側の部分と可動作動部を成すビーム部の板状部材差込み部１４側の部分との間に配される。
【００４７】
係止部材５０における絶縁ハウジング１３に固定される部分を有したビーム部５３の板状部材差込み部１４側の部分と可動作動部を成すビーム部５４の板状部材差込み部１４側の部分との間に配されたフレキシブル印刷配線基板１２の端子端部６３が有する側端部６４にあっては、それに形成された切欠き係合部６６が、係止部材５０におけるビーム部５４の端部に形成された係合係止部５０ｂに対応する位置におかれる。同様に、係止部材５１における絶縁ハウジング１３に固定される部分を有したビーム部の板状部材差込み部１４側の部分と可動作動部を成すビーム部の板状部材差込み部１４側の部分との間に配されたフレキシブル印刷配線基板１２の端子端部６３が有する側端部６５にあっては、それに形成された切欠き係合部６７が、係止部材５１における可動作動部を成すビーム部の端部に形成された係合係止部に対応する位置におかれる。
【００４８】
なお、このとき、係止部材５０における可動作動部を成すビーム部５４は、そのいずれの部分も絶縁ハウジング１３の端部１８に配された実装用金属部材２０における接触検知部４３に接触しないものとされるとともに、係止部材５１における可動作動部を成すビーム部も、そのいずれの部分も絶縁ハウジング１３の端部１９に配された実装用金属部材２１における接触検知部４６に接触しないものとされる。従って、アクチュエータ２５が第１の静止位置をとるもとにおいては、絶縁ハウジング１３の端部１８に配された実装用金属部材２０における接触検知部４３が係止部材５０との電気的接続状態にはおかれず、また、絶縁ハウジング１３の端部１９に配された実装用金属部材２１における接触検知部４６も係止部材５１との電気的接続状態にはおかれないことになる。
【００４９】
また、上述のように、フレキシブル印刷配線基板１２の端子端部６３が絶縁ハウジング１３内の板状部材収容部１５に部分的に収容され、フレキシブル印刷配線基板１２の端子端部６３が、板状部材収容部１５内において、複数の第１のコンタクト１６の夫々における絶縁ハウジング１３に固定される部分を有したビーム部３６の板状部材差込み部１４側の部分と可動作動部を成すビーム部３７の板状部材差込み部１４側の部分との間、及び、複数の第２のコンタクト１７の夫々における絶縁ハウジング１３に固定される部分を有したビーム部の板状部材差込み部１４側の部分と可動作動部を成すビーム部の板状部材差込み部１４側の部分との間に配されたもとにあっては、絶縁ハウジング１３に配列配置された複数の第１のコンタクト１６が、板状部材収容部１５に部分的に収容されたフレキシブル印刷配線基板１２の端子端部６３に配された複数の第１の接触端子部６１に夫々適正に対応する位置をとるものとされるとともに、絶縁ハウジング１３に配列配置された複数の第２のコンタクト１７が、板状部材収容部１５に部分的に収容されたフレキシブル印刷配線基板１２の端子端部６３に配された複数の第２の接触端子部６２に夫々適正に対応する位置をとるものとされる。
【００５０】
その後、アクチュエータ２５が、第１の静止位置から第２の静止位置へと絶縁ハウジング１３に対して回動せしめられ、図７及び図８に示されるように、第２の静止位置をとるものとされると、板状部材差込み部１４を通じて絶縁ハウジング１３に差し込まれ、絶縁ハウジング１３内の板状部材収容部１５に部分的に収容されたフレキシブル印刷配線基板１２の端子端部６３に、絶縁ハウジング１３に配列配置された複数の第１のコンタクト１６及び複数の第２のコンタクト１７と一対の係止部材５０及び係止部材５１とが係合する状態がとられる。このようなフレキシブル印刷配線基板１２の端子端部６３に対する複数の第１のコンタクト１６及び複数の第２のコンタクト１７と一対の係止部材５０及び係止部材５１との係合は、複数の第１のコンタクト１６及び複数の第２のコンタクト１７が、フレキシブル印刷配線基板１２の端子端部６３に配された複数の第１の接触端子部６１及び複数の第２の接触端子部６２に夫々押圧接触するものとされるとともに、係止部材５０及び係止部材５１が、フレキシブル印刷配線基板１２の端子端部６３における切欠き係合部６６及び切欠き係合部６７に夫々係合するものとされることによりなされる。
【００５１】
斯かる際においては、先ず、第１の静止位置をとって絶縁ハウジング１３に対して起き上がった状態におかれたアクチュエータ２５が、第１の静止位置から第２の静止位置に移行すべく回動せしめられ、絶縁ハウジング１３に対して伏した状態におかれる。それにより、アクチュエータ２５の第１の静止位置から第２の静止位置への移行に伴って、図８におけるIX−IX線断面を示す図９に示されるように、アクチュエータ２５に設けられた複数のカム部２７のうちの一つおきのものが、その極大寸法部を対応する第１のコンタクト１６におけるビーム部３６の部分３６ａとビーム部３７の端部３７ａとの両者に係合させ、また、図示は省略されているが、アクチュエータ２５に設けられた複数のカム部２７のうちの他の一つおきのものが、その極大寸法部を対応する第２のコンタクト１７における絶縁ハウジング１３に固定される部分を有したビーム部の絶縁ハウジング１３の背面側端縁部側の端部と可動作動部を成すビーム部の絶縁ハウジング１３の背面側端縁部側の端部との両者に係合させる。
【００５２】
さらに、アクチュエータ２５の第１の静止位置から第２の静止位置への移行に伴って、図８における X−X 線断面を示す図１０に示されるように、アクチュエータ２５に設けられた一対のカム部２８のうちの一方が、その極大寸法部を対応する係止部材５０のビーム部５３の端部５３ａとビーム部５４における端部５４ａとの両者に係合させ、また、図示は省略されているが、アクチュエータ２５に設けられた一対のカム部２８のうちの他方が、その極大寸法部を対応する係止部材５１の絶縁ハウジング１３に固定される部分を有したビーム部における絶縁ハウジング１３の背面側端縁部側の端部と可動作動部を成すビーム部における絶縁ハウジング１３の背面側端縁部側の端部との両者に係合させる。
【００５３】
フレキシブル印刷配線基板１２の端子端部６３が絶縁ハウジング１３内の板状部材収容部１５に部分的に収容されたもとにおいて、第１のコンタクト１６におけるビーム部３６の部分３６ａとビーム部３７の端部３７ａとの両者に係合するカム部２７の極大寸法部は、ビーム部３７に、仮にフレキシブル印刷配線基板１２の端子端部６３が板状部材収容部１５に収容されていないとすれば、ビーム部３６における端部３６ｂとビーム部３７の端部が形成する接触部１６ｂとが板状部材収容部１５内において形成する相互間間隔を狭めるように変位させることになる応力を作用させ、それにより、図９に示されるように、ビーム部３７は、その端部が形成する接触部１６ｂが、板状部材収容部１５に部分的に収容されたフレキシブル印刷配線基板１２の端子端部６３に配された複数の第１の接触端子部６１のうちの対応するものに当接する状態におかれる。また、第２のコンタクト１７における絶縁ハウジング１３に固定される部分を有したビーム部における絶縁ハウジング１３の背面側端縁部側の端部と可動作動部を成すビーム部における絶縁ハウジング１３の背面側端縁部側の端部との両者に係合にするカム部２７の極大寸法部は、可動作動部を成すビーム部に、仮にフレキシブル印刷配線基板１２の端子端部６３が板状部材収容部１５に収容されていないとすれば、絶縁ハウジング１３に固定される部分を有したビーム部における絶縁ハウジング１３の正面側端縁部側の端部と可動作動部を成すビーム部の端部が形成する接触部とが板状部材収容部１５内において形成する相互間間隔を狭めるように変位させることになる応力を作用させ、それにより、図示が省略されているが、可動作動部を成すビーム部は、その端部が形成する接触部が板状部材収容部１５に部分的に収容されたフレキシブル印刷配線基板１２の端子端部６３に配された複数の第２の接触端子部６２のうちの対応するものに当接する状態におかれる。
【００５４】
その結果、板状部材収容部１５に部分的に収容されたフレキシブル印刷配線基板１２の端子端部６３に配された複数の第１の接触端子部６１及び複数の第２の接触端子部６２の夫々が、対応する第１のコンタクト１６あるいは対応する第２のコンタクト１７を通じて、絶縁ハウジング１３が配された配線基板１１に設けられた配線部に電気的に接続されることになる。
【００５５】
このようにして、フレキシブル印刷配線基板１２の端子端部６３が板状部材差込み部１４を通じて絶縁ハウジング１３に差し込まれ、絶縁ハウジング１３内の板状部材収容部１５に部分的に収容されたもとにおいて、アクチュエータ２５が第２の静止位置をとるときには、複数の第１のコンタクト１６の夫々が、板状部材収容部１５に部分的に収容されたフレキシブル印刷配線基板１２の端子端部６３に配された複数の第１の接触端子部６１のうちの対応するものに押圧接触する状態におかれ、また、複数の第２のコンタクト１７の夫々が、板状部材収容部１５に部分的に収容されたフレキシブル印刷配線基板１２の端子端部６３に配された複数の第２の接触端子部６２のうちの対応するものに押圧接触する状態におかれる。それゆえ、アクチュエータ２５がとる第２の静止位置は、複数の第１のコンタクト１６及び複数の第２のコンタクト１７を、板状部材差込み部１４を通じて絶縁ハウジング１３に差し込まれたフレキシブル印刷配線基板１２に押圧接触する状態をとるものとする、押圧動作位置であることになる。即ち、アクチュエータ２５は、フレキシブル印刷配線基板１２の端子端部６３が板状部材差込み部１４を通じて絶縁ハウジング１３に差し込まれ、絶縁ハウジング１３内の板状部材収容部１５に部分的に収容されたもとにおいて、複数の第１のコンタクト１６及び複数の第２のコンタクト１７を、板状部材差込み部１４を通じて絶縁ハウジング１３に差し込まれたフレキシブル印刷配線基板１２に押圧接触する状態をとるものとする、押圧動作位置をとるものとされているのである。
【００５６】
また、フレキシブル印刷配線基板１２の端子端部６３が絶縁ハウジング１３内の板状部材収容部１５に部分的に収容されたもとにおいて、アクチュエータ２５が第２の静止位置、即ち、押圧動作位置をとることにより、係止部材５０におけるビーム部５３の端部５３ａとビーム部５４の端部５４ａとの両者に係合する一対のカム部２８のうちの一方の極大寸法部は、ビーム部５４に、ビーム部５３における端部が成す接続端子部５０ａとビーム部５４の端部が形成する係合係止部５０ｂとが板状部材収容部１５内において形成する相互間間隔を狭めるように変位させることになる応力を作用させ、それにより、図１０に示されるように、ビーム部５４は、その端部が形成する係合係止部５０ｂが板状部材収容部１５に部分的に収容されたフレキシブル印刷配線基板１２の端子端部６３が有する側端部６４に形成された切欠き係合部６６に係合する状態におかれる。同様に、係止部材５１における絶縁ハウジング１３に固定される部分を有するビーム部の絶縁ハウジング１３の背面側端縁部側の端部と可動作動部を成すビーム部の絶縁ハウジング１３の背面側端縁部側の端部との両者に係合する一対のカム部２８のうちの他方の極大寸法部は、可動作動部を成すビーム部に、絶縁ハウジング１３に固定される部分を有するビーム部における端部が成す接続端子部と可動作動部を成すビーム部の端部が形成する係合係止部とが板状部材収容部１５内において形成する相互間間隔を狭めるように変位させることになる応力を作用させ、それにより、図示が省略されているが、可動作動部を成すビーム部は、その端部が形成する係合係止部が板状部材収容部１５に部分的に収容されたフレキシブル印刷配線基板１２の端子端部６３が有する側端部６５に形成された切欠き係合部６７に係合する状態におかれる。
【００５７】
このようにして、係止部材５０における係合係止部５０ｂがフレキシブル印刷配線基板１２の端子端部６３が有する側端部６４に形成された切欠き係合部６６に係合するとともに、係止部材５１における係合係止部がフレキシブル印刷配線基板１２の端子端部６３が有する側端部６５に形成された切欠き係合部６７に係合するもとにあっては、係止部材５０及び係止部材５１が、絶縁ハウジング１３に差し込まれたフレキシブル印刷配線基板１２を係止するものとされる。それにより、フレキシブル印刷配線基板１２の絶縁ハウジング１３からの不所望な抜脱が阻止され、フレキシブル印刷配線基板１２が絶縁ハウジング１３に適正に差し込まれた状態が安定に維持される。
【００５８】
さらに、フレキシブル印刷配線基板１２の端子端部６３が絶縁ハウジング１３内の板状部材収容部１５に部分的に収容されたもとにおいて、アクチュエータ２５が押圧動作位置をとることにより、係止部材５０におけるビーム部５３の端部５３ａとビーム部５４の端部５４ａとの両者に係合する一対のカム部２８のうちの一方の極大寸法部が、ビーム部５４に、ビーム部５３における端部が成す接続端子部５０ａとビーム部５４の端部が形成する係合係止部５０ｂとが板状部材収容部１５内において形成する相互間間隔を狭めるように変位させることになる応力を作用させるときには、図１０及び図１１に示されるように、一対のカム部２８のうちの一方の極大寸法部によって変位せしめられた係止部材５０のビーム部５４が、絶縁ハウジング１３における端部１８に配された実装用金属部材２０における接触検知部４３に当接するものとされる。それにより、実装用金属部材２０が係止部材５０との電気的接続状態におかれる。
【００５９】
また、これと同様に、フレキシブル印刷配線基板１２の端子端部６３が絶縁ハウジング１３内の板状部材収容部１５に部分的に収容されたもとにおいて、アクチュエータ２５が押圧動作位置をとることにより、係止部材５１における絶縁ハウジング１３に固定される部分を有するビーム部の絶縁ハウジング１３の背面側端縁部側の端部と可動作動部を成すビーム部の絶縁ハウジング１３の背面側端縁部側の端部との両者に係合する一対のカム部２８のうちの他方の極大寸法部が、可動作動部を成すビーム部に、絶縁ハウジング１３に固定される部分を有するビーム部における端部が成す接続端子部と可動作動部を成すビーム部の端部が形成する係合係止部とが板状部材収容部１５内において形成する相互間間隔を狭めるように変位させることになる応力を作用させるときには、図示が省略されているが、一対のカム部２８のうちの他方の極大寸法部によって変位せしめられた係止部材５１の可動作動部を成すビーム部が、絶縁ハウジング１３における端部１９に配された実装用金属部材２１における接触検知部４６に当接するものとされる。それにより、実装用金属部材２１が係止部材５１との電気的接続状態におかれる。
【００６０】
従って、コネクタ装置１０にあっては、フレキシブル印刷配線基板１２の端子端部６３が絶縁ハウジング１３内の板状部材収容部１５に部分的に収容されたもとにおいて、アクチュエータ２５が押圧動作位置を適正にとるときには、実装用金属部材２０が係止部材５０との電気的接続状態におかれるとともに、実装用金属部材２１が係止部材５１との電気的接続状態におかれることになる。
【００６１】
その後、コネクタ装置１０は、必要に応じて、押圧動作位置である第２の静止位置をとるアクチュエータ２５を、複数の第１のコンタクト１６及び複数の第２のコンタクト１７に板状部材差込み部１４を通じて絶縁ハウジング１３に差し込まれたフレキシブル印刷配線基板１２に対する押圧接触状態から解放された状態をとらせるべく、第１の静止位置に移行させるものとされる。
【００６２】
第２の静止位置をとるアクチュエータ２５が第１の静止位置に移行せしめられる際には、第２の静止位置をとるアクチュエータ２５が、回動操作されて、第２の静止位置から第１の静止位置に移行すべく回動せしめられ、絶縁ハウジング１３に対して立ち上がった状態におかれる。それにより、アクチュエータ２５の第２の静止位置から第１の静止位置への移行に伴って、アクチュエータ２５に設けられた複数のカム部２７のうちの一つおきのものが、その極大寸法部以外の部分を、対応する第１のコンタクト１６におけるビーム部３６の部分３６ａとビーム部３７の端部３７ａとの両者に係合させ、また、図示は省略されているが、アクチュエータ２５に設けられた複数のカム部２７のうちの他の一つおきのものが、その極大寸法部以外の部分を、対応する第２のコンタクト１７における絶縁ハウジング１３に固定される部分を有したビーム部の絶縁ハウジング１３の背面側端縁部側の端部と可動作動部を成すビーム部の絶縁ハウジング１３の背面側端縁部側の端部との両者に係合させる。
【００６３】
さらに、アクチュエータ２５の第２の静止位置から第１の静止位置への移行に伴って、アクチュエータ２５に設けられた一対のカム部２８のうちの一方が、その極大寸法部以外の部分を、対応する係止部材５０のビーム部５３の端部５３ａとビーム部５４における端部５４ａとの両者に係合させ、また、アクチュエータ２５に設けられた一対のカム部２８のうちの他方が、その極大寸法部以外の部分を、対応する係止部材５１の絶縁ハウジング１３に固定される部分を有したビーム部における絶縁ハウジング１３の背面側端縁部側の端部と可動作動部を成すビーム部における絶縁ハウジング１３の背面側端縁部側の端部との両者に係合させる。
【００６４】
第１のコンタクト１６におけるビーム部３６の部分３６ａとビーム部３７の端部３７ａとの両者に係合する複数のカム部２７のうちの一つおきのものの極大寸法部以外の部分は、ビーム部３７に、ビーム部３６の端部３６ｂとビーム部３７における接触部１６ｂとが板状部材収容部１５内において形成する相互間間隔を広げる方向に変位する状態をとらせ、それにより、第１のコンタクト１６において、ビーム部３７における接触部１６ｂが、板状部材収容部１５に部分的に収容されたフレキシブル印刷配線基板１２の端子端部６３における複数の第１の接触端子部６１のうちの対応するものに当接する状態から解放される。同様に、第２のコンタクト１７における絶縁ハウジング１３に固定される部分を有したビーム部の絶縁ハウジング１３の背面側端縁部側の端部と可動作動部を成すビーム部の絶縁ハウジング１３の背面側端縁部側の端部との両者に係合する複数のカム部２７のうちの他の一つおきのものの極大寸法部以外の部分は、可動作動部を成すビーム部に、絶縁ハウジング１３に固定される部分を有したビーム部の絶縁ハウジング１３の板状部材差込み部１４側の部分と可動作動部をなすビーム部における接触部とが板状部材収容部１５内において形成する相互間間隔を広げる方向に変位する状態をとらせ、それにより、第２のコンタクト１７において、可動作動部をなすビーム部における接触部が、板状部材収容部１５に部分的に収容されたフレキシブル印刷配線基板１２の端子端部６３における複数の第２の接触端子部６２のうちの対応するものに当接する状態から解放される。
【００６５】
その結果、複数の第１のコンタクト１６及び複数の第２のコンタクト１７が、板状部材差込み部１４を通じて絶縁ハウジング１３に差し込まれたフレキシブル印刷配線基板１２に対する押圧接触状態から解放される。
【００６６】
また、係止部材５０におけるビーム部５３の端部５３ａとビーム部５４の端部５４ａとの両者に係合する一対のカム部２８のうちの一方の極大寸法部以外の部分は、ビーム部５４に、ビーム部５３における接続端子部５０ａとビーム部５４における係合係止部５０ｂとが板状部材収容部１５内において形成する相互間間隔を広げる方向に変位する状態をとらせ、それにより、係止部材５０において、ビーム部５４における係合係止部５０ｂが、板状部材収容部１５に部分的に収容されたフレキシブル印刷配線基板１２の端子端部６３が有する側端部６４に形成された切欠き係合部６６に係合する状態から解放される。同様に、係止部材５１における絶縁ハウジング１３に固定される部分を有したビーム部の絶縁ハウジング１３の背面側端縁部側の端部と可動作動部を成すビーム部の絶縁ハウジング１３の背面側端縁部側の端部との両者に係合する一対のカム部２８のうちの他方の極大寸法部以外の部分は、可動作動部を成すビーム部に、絶縁ハウジング１３に固定される部分を有したビーム部の絶縁ハウジング１３の板状部材差込み部１４側の部分と可動作動部をなすビーム部における係合係止部とが板状部材収容部１５内において形成する相互間間隔を広げる方向に変位する状態をとらせ、それにより、係止部材５１において、可動作動部をなすビーム部における係合係止部が、板状部材収容部１５に部分的に収容されたフレキシブル印刷配線基板１２の端子端部６３が有する側端部６５に形成された切欠き係合部６７に係合する状態から解放される。
【００６７】
その結果、係止部材５０及び係止部材５１が、板状部材差込み部１４を通じて絶縁ハウジング１３に差し込まれたフレキシブル印刷配線基板１２を係止する状態から解放される。
【００６８】
さらに、係止部材５０におけるビーム部５３の端部５３ａとビーム部５４の端部５４ａとの両者に係合する一対のカム部２８のうちの一方の極大寸法部以外の部分が、ビーム部５４に、ビーム部５３における接続端子部５０ａとビーム部５４における係合係止部５０ｂとが板状部材収容部１５内において形成する相互間間隔を広げる方向に変位する状態をとらせるときには、係止部材５０のビーム部５４が、絶縁ハウジング１３における端部１８に配された実装用金属部材２０における接触検知部４３に当接しないものとされる。それにより、実装用金属部材２０が係止部材５０との電気的接続状態を解除する。
【００６９】
また、これと同様に、係止部材５１における絶縁ハウジング１３に固定される部分を有したビーム部の絶縁ハウジング１３の背面側端縁部側の端部と可動作動部を成すビーム部の絶縁ハウジング１３の背面側端縁部側の端部との両者に係合する一対のカム部２８のうちの他方の極大寸法部以外の部分が、可動作動部を成すビーム部に、絶縁ハウジング１３に固定される部分を有したビーム部の絶縁ハウジング１３の板状部材差込み部１４側の接続端子部と可動作動部をなすビーム部における係合係止部とが板状部材収容部１５内において形成する相互間間隔を広げる方向に変位する状態をとらせるときには、係止部材５１における可動作動部を成すビーム部が、絶縁ハウジング１３における端部１９に配された実装用金属部材２１における接触検知部４６に当接しないものとされる。それにより、実装用金属部材２１が係止部材５１との電気的接続状態を解除する。
【００７０】
上述のようにして、複数の第１のコンタクト１６及び複数の第２のコンタクト１７が、板状部材差込み部１４を通じて絶縁ハウジング１３に差し込まれたフレキシブル印刷配線基板１２に対する押圧接触状態から解放されるとともに、係止部材５０及び係止部材５１が、板状部材差込み部１４を通じて絶縁ハウジング１３に差し込まれたフレキシブル印刷配線基板１２を係止する状態から解放されることにより、フレキシブル印刷配線基板１２が絶縁ハウジング１３から適正に抜脱され得る状態におかれる。
【００７１】
このようなもとで、図１２は、アクチュエータ２５が第２の静止位置、即ち、押圧動作位置を適正にとるものとされて、実装用金属部材２０が係止部材５０との電気的接続状態におかれるとともに実装用金属部材２１が係止部材５１との電気的接続状態におかれているか否かを検出するための検出手段の一例を概念的に示す。
【００７２】
図１２に概念的に示される検出手段にあっては、係止部材５０のビーム部５４が絶縁ハウジング１３における端部１８に配された実装用金属部材２０における接触検知部４３に当接する状態と当接しない状態をとることにより形成される機械的接触／非接触機構が、スイッチ７１として、また、係止部材５１の可動作動部をなすビーム部が絶縁ハウジング１３における端部１９に配された実装用金属部材２１における接触検知部４６に当接する状態と当接しない状態をとることにより形成される機械的接触／非接触機構が、スイッチ７２として、夫々模式的に示されている。
【００７３】
そして、図１２に概念的に示される検出手段が用いられる際には、実装用金属部材２０の基板接続部４２が接続された配線基板１１における接地接続部７３（図１２においては、スイッチ７１の一端が接続されたものとされている。）と、実装用金属部材２１の基板接続部４５が接続された配線基板１１における接地接続部７４（図１２においては、スイッチ７２の一端が接続されたものとされている。）とが相互連結されるとともに、係止部材５０のビーム部５３における接続端子部５０ａが接続された配線基板１１における接続固定部７５（図１２においては、スイッチ７１の他端が接続されたものとされている。）と、係止部材５１の絶縁ハウジング１３に固定される部分を有したビーム部における接続端子部が接続された配線基板１１における接続固定部７６（図１２においては、スイッチ７２の他端が接続されたものとされている。）との間に、直流電源７７と並列接続された抵抗素子７８と発光ダイオード７９とが直列に接続される。
【００７４】
斯かるもとで、アクチュエータ２５が押圧動作位置を適正に維持するものとされて、実装用金属部材２０が係止部材５０との電気的接続状態におかれるとともに実装用金属部材２１が係止部材５１との電気的接続状態におかれているときには、係止部材５０のビーム部５４が実装用金属部材２０における接触検知部４３に当接する状態をとってスイッチ７１がオンとされるとともに係止部材５１の可動作動部をなすビーム部が実装用金属部材２１における接触検知部４６に当接する状態をとってスイッチ７２がオンとされることになり、直流電源７７の正極から抵抗素子７８と発光ダイオード７９との並列接続，接続固定部７６，スイッチ７２，接地接続部７４，接地接続部７３，スイッチ７２及び接続固定部７５を通じて直流電源７７の負極に至る閉回路が形成されて、抵抗素子７８及び発行ダイオード７９の夫々を直流電源７７からの直流電流が流れる。その結果、発行ダイオード７９が発光状態に維持される。
【００７５】
それに対して、アクチュエータ２５が押圧動作位置を適正に維持するものとされず、実装用金属部材２０が係止部材５０との電気的接続状態におかれていず、あるいは、実装用金属部材２１が係止部材５１との電気的接続状態におかれていないときには、係止部材５０のビーム部５４が実装用金属部材２０における接触検知部４３に当接しない状態をとってスイッチ７１がオフとされ、あるいは、係止部材５１の可動作動部をなすビーム部が実装用金属部材２１における接触検知部４６に当接しない状態をとってスイッチ７２がオフとされることになり、直流電源７７の正極から抵抗素子７８と発行ダイオード７９との並列接続，接続固定部７６，スイッチ７２，接地接続部７４，接地接続部７３，スイッチ７２及び接続固定部７５を通じて直流電源７７の負極に至る閉回路が形成されず、抵抗素子７８及び発行ダイオード７９の夫々を直流電源７７からの直流電流が流れる状態は得られない。その結果、発行ダイオード７９が非発光状態に維持される。
【００７６】
これよりして、図１２に概念的に示される検出手段によれば、発行ダイオード７９が発光状態に維持されるか否かによって、アクチュエータ２５が押圧動作位置を適正に維持するものとされて、実装用金属部材２０が係止部材５０との電気的接続状態におかれるとともに実装用金属部材２１が係止部材５１との電気的接続状態におかれているか否かを検出することができる。
【００７７】
上述のような本願発明に係るコネクタ装置の第１の例を成すコネクタ装置１０にあっては、絶縁ハウジング１３に板状部材差込み部１４を通じてフレキシブル印刷配線基板１２が差し込まれたもとで、アクチュエータ２５が押圧動作位置を適正に維持するときには、アクチュエータ２５が係合する複数の第１のコンタクト１６及び複数の第２のコンタクト１７が、絶縁ハウジング１３に差し込まれたフレキシブル印刷配線基板１２に押圧接触する状態をとるものとされ、また、絶縁ハウジング１３に差し込まれたフレキシブル印刷配線基板１２が、係止部材５０及び係止部材５１によって係止されて絶縁ハウジング１３からの抜脱が阻止される状態におかれ、さらに、実装用金属部材２０における接触検知部４３が絶縁ハウジング１３に設けられた導電部材を成す係止部材５０との電気的接続状態におかれるとともに、実装用金属部材２１における接触検知部４６が絶縁ハウジング１３に設けられた導電部材を成す係止部材５１との電気的接続状態におかれる。そして、実装用金属部材２０における接触検知部４３の係止部材５０との電気的接続状態及び実装用金属部材２１における接触検知部４６の係止部材５１との電気的接続状態は、アクチュエータ２５が押圧動作位置を適正に維持する状態にないものとされるとき解除される。
【００７８】
それにより、アクチュエータ２５が、絶縁ハウジング１３に配列配置された複数の第１のコンタクト１６及び複数の第２のコンタクト１７を絶縁ハウジング１３に差し込まれたフレキシブル印刷配線基板１２に押圧接触する状態をとるものとする押圧動作位置を適正に維持するものとされた状態にあることを、実装用金属部材２０における接触検知部４３が絶縁ハウジング１３に設けられた導電部材を成す係止部材５０との電気的接続状態におかれるとともに、実装用金属部材２１における接触検知部４６が絶縁ハウジング１３に設けられた導電部材を成す係止部材５１との電気的接続状態におかれていることを検出する電気的手法により、確実に認知することができる。
【００７９】
その結果、コネクタ装置１０によれば、その全体の小型化及び薄型化が図られたもとにあっても、アクチュエータ２５が、絶縁ハウジング１３に配列配置された複数の第１のコンタクト１６及び複数の第２のコンタクト１７を絶縁ハウジング１３に差し込まれたフレキシブル印刷配線基板１２に押圧接触する状態をとるものとする押圧動作位置を適正に維持するものとされた状態にあることを、機械的感触に頼ることなく、随時必要に応じて、電気的手法により認知することができることになる。
【実施例２】
【００８０】
図１３（斜視図）は、本願発明に係るコネクタ装置の第２の例を成すコネクタ装置８０を、それが実装された配線基板１１及びそれに装着される配線板状部材を成すフレキシブル印刷配線基板１２’と共に示す。配線基板１１は、図１に示される配線基板１１と同様のものである。
【００８１】
コネクタ装置８０は、前述の本願発明に係るコネクタ装置の第１の例を成すコネクタ装置１０と同様に構成された部分を多々有しており、斯かる部分については、コネクタ装置１０と共通の符号が付されて示されており、重複説明は省略される。
【００８２】
図１３において、コネクタ装置８０は、合成樹脂等の絶縁材料によって形成され、電子機器等の配線基板１１に配される、コネクタ装置１０の絶縁ハウジング１３に相当する、絶縁ハウジング１３’を備えている。絶縁ハウジング１３’には、その正面側端縁部にフレキシブル印刷配線基板１２’が差し込まれる状態がとられる板状部材差込み部１４が設けられており、板状部材差込み部１４から絶縁ハウジング１３’の内部へと板状部材収容部１５が拡がっている。そして、絶縁ハウジング１３’は、図１３において矢印Ｌ’により示される方向を長手方向とするものとされている。
【００８３】
また、絶縁ハウジング１３’には、各々が弾性導電材料で形成された複数の第１のコンタクト１６と各々が弾性導電材料で形成された複数の第２のコンタクト１７とが、絶縁ハウジング１３’の長手方向に沿う方向において交互に配される状態のもとに配列配置されて設けられている。これら複数の第１のコンタクト１６及び複数の第２のコンタクト１７の夫々は、前述のコネクタ装置１０における複数の第１のコンタクト１６及び複数の第２のコンタクト１７の夫々と同様に構成されて同様に配設されたものとされている。
【００８４】
配列配置された複数の第１のコンタクト１６にあっては、それらの夫々における接続端子部１６ａが、配線基板１１に設けられた配線部に含まれる配線端子部に、例えば、半田付けによって接続される。それに対して、配列配置された複数の第２のコンタクト１７にあっては、それらのうちの、その配列方向における両端に配された一対のコンタクト１７Ａ及び１７Ｂの夫々における接続端子部１７ａが、配線基板１１に配線部から外れたものとして設けられた接続固定部に、例えば、半田付けによって接続され、また、それらのうちの、一対のコンタクト１７Ａ及び１７Ｂを除いた他のものの夫々における接続端子部１７ａが、配線基板１１に設けられた配線部に含まれる配線端子部に、例えば、半田付けによって接続される。このようなもとで、一対のコンタクト１７Ａ及び１７Ｂは、絶縁ハウジング１３’における長手方向である複数の第１のコンタクト１６及び複数の第２のコンタクト１７の配列方向（コンタクト配列方向）の一対の端部１８’及び端部１９’（両端部）に位置するものとされている。
【００８５】
コネクタ装置８０が実用に供される際には、絶縁ハウジング１３’が、電子機器等の配線基板１１に固定されるが、絶縁ハウジング１３’における長手方向であるコンタクト配列方向の一対の端部１８’及び端部１９’には、一対の実装用金属部材２０’及び実装用金属部材２１’が夫々配されていて、これらの実装用金属部材２０’及び実装用金属部材２１’が、絶縁ハウジング１３’が配線基板１１に固定されてコネクタ装置８０が配線基板１１に実装されるにあたって配線基板１１に取り付けられる。それにより、一対の実装用金属部材２０’及び実装用金属部材２１’は、コネクタ装置８０の配線基板１１への実装に寄与するものとなる。
【００８６】
さらに、絶縁ハウジング１３’における背面側端縁部側には、コンタクト配列方向、即ち、絶縁ハウジング１３’の長手方向に沿って伸び、その長手方向が絶縁ハウジング１３’の長手方向に一致することになるアクチュエータ２５が、絶縁ハウジング１３’に対して回動可能に設けられている。このアクチュエータ２５は、前述のコネクタ装置１０におけるアクチュエータ２５と同様に構成されて同様に配設されたものとされており、図１３に示されるような、絶縁ハウジング１３’に対して起き上がった状態におかれるものとされる位置を、第１の静止位置としてとることができ、また、後述される図１６に示されるような、絶縁ハウジング１３’に対して伏した状態におかれるものとされる位置を、第２の静止位置としてとることができる。但し、コネクタ装置８０における絶縁ハウジング１３’に設けられたアクチュエータ２５には、前述のコネクタ装置１０におけるアクチュエータ２５に設けられている一対のカム部２８に相当するカム部は設けられていない。
【００８７】
絶縁ハウジング１３’における長手方向の両端部である一対の端部１８’及び端部１９’に夫々配された一対の実装用金属部材２０’及び実装用金属部材２１’のうちの実装用金属部材２０’は、金属板材に打抜き屈曲加工が施されて形成されていて、図１４に単独で示されるように、絶縁ハウジング１３’の端部１８’に設けられた係合凹部１８’ａに係合して絶縁ハウジング１３’に固定される本体部分４１’と、本体部分４１’の一端に設けられた基板接続部４２’と、本体部分４１’の他端から突出する腕状接触片部を成す接触検知部４３’とが設けられている。接触検知部４３’は、実装用金属部材２０’が絶縁ハウジング１３’の端部１８’に配されたもとで、本体部分４１’の他端からコンタクト配列方向に沿って絶縁ハウジング１３’の端部１９’に向かって突出するものとされており、その本体部分４１’からの突出長が、前述のコネクタ装置１０に備えられた実装用金属部材２０における接触検知部４３の本体部分４１からの突出長より大であるものとされている。
【００８８】
また、一対の実装用金属部材２０’及び実装用金属部材２１’のうちの実装用金属部材２１’も、金属板材に打抜き屈曲加工が施されて、実装用金属部材２０’と対称体を成すものとして形成されており、実装用金属部材２０’における本体部分４１’，基板接続部４２’及び接触検知部４３’に夫々相当する、絶縁ハウジング１３’の端部１９’に設けられた係合凹部１９’ａに係合して絶縁ハウジング１３’に固定される本体部分４４’，基板接続部及び接触検知部４６’が設けられている。そして、図１３に示されるように、接触検知部４６’は、実装用金属部材２１’が絶縁ハウジング１３’の端部１９’に配されたもとで、本体部分４４’からコンタクト配列方向に沿って絶縁ハウジング１３’の端部１８’に向かって突出するものとされており、その本体部分４４’からの突出長が、前述のコネクタ装置１０に備えられた実装用金属部材２１における接触検知部４６の本体部分４４からの突出長より大であるものとされている。
【００８９】
絶縁ハウジング１３’に配列配置された複数の第２のコンタクト１７のうちの、その配列方向における両端に配され一対のコンタクト１７Ａ及び１７Ｂにあっては、コンタクト１７Ａの可動作動部を成すビーム部５４が、その一部分を絶縁ハウジング１３’の端部１８’に配された実装用金属部材２０’における接触検知部４３’に対応する位置をとるものとされるとともに、コンタクト１７Ｂの可動作動部を成すビーム部５４が、その一部分を絶縁ハウジング１３’の端部１9 ’に配された実装用金属部材２1 ’における接触検知部４６’に対応する位置をとるものとされる。
【００９０】
このようにして、複数の第１のコンタクト１６及び複数の第２のコンタクト１７が配列配置されて、複数の第２のコンタクト１７がその配列方向における両端に一対のコンタクト１７Ａ及び１７Ｂが配されたものとされ、また、端部１８’に実装用金属部材２０’が配されるとともに端部１９’に実装用金属部材２１’が配されて成る絶縁ハウジング１３’を備えたコネクタ装置８０が、配線基板１１に実装される際には、実装用金属部材２０’における本体部分４１’の一端に設けられた基板接続部４２’及び実装用金属部材２１’における本体部分４４’の一端に設けられた基板接続部の夫々が、例えば、半田付けによって配線基板１１に設けられた接地接続部に接続されて固定される。それにより、絶縁ハウジング１３’の全体が配線基板１１に固定されるを状態をもって、コネクタ装置８０が配線基板１１に実装される。
【００９１】
板状部材差込み部１４を通じて絶縁ハウジング１３’に挿入されるフレキシブル印刷配線基板１２’には、その一端部において、複数の第１の接触端子部６１及び複数の第２の接触端子部６２が、絶縁ハウジング１３’に対する板状部材差込み部１４を通じた差込みまたは抜出し方向に直交する方向において交互に配される状態のもとに配列配置されている。これら複数の第１の接触端子部６１及び複数の第２の接触端子部６２は、前述のフレキシブル印刷配線基板１２における複数の第１の接触端子部６１及び複数の第２の接触端子部６２と同様に配設されたものとされている（以下、複数の第１の接触端子部６１及び複数の第２の接触端子部６２が配列配置されたフレキシブル印刷配線基板１２’の一端部を端子端部６３’という。）。そして、フレキシブル印刷配線基板１２’にあっては、端子端部６３’に連なって回路構成部６８’が広がっており、この回路構成部６８’は、前述のフレキシブル印刷配線基板１２における回路構成部６８と同様に配設されたものとされている。
【００９２】
上述のコネクタ装置８０にあっても、図１５に示されるように、アクチュエータ２５が第１の静止位置をとるもとにおいて、配線板状部材としてのフレキシブル印刷配線基板１２’が、その端子端部６３’をもって、絶縁ハウジング１３’に、板状部材差込み部１４を通じて、絶縁ハウジング１３’の長手方向に直交する奥行き方向に沿って差し込まれるものとされる。それにより、フレキシブル印刷配線基板１２’の端子端部６３’が、板状部材差込み部１４を通じて絶縁ハウジング１３’に差し込まれ、絶縁ハウジング１３’内の板状部材収容部１５に部分的に収容された状態におかれる。
【００９３】
このようにして、フレキシブル印刷配線基板１２’の端子端部６３’が絶縁ハウジング１３’内の板状部材収容部１５に部分的に収容されたもとにあっては、フレキシブル印刷配線基板１２’の端子端部６３’は、板状部材収容部１５内において、複数の第１のコンタクト１６の夫々における絶縁ハウジング１３’に固定される部分を有したビーム部３６の板状部材差込み部１４側の部分と可動作動部を成すビーム部３７の板状部材差込み部１４側の部分との間、及び、図示が省略されているが、複数の第２のコンタクト１７の夫々における絶縁ハウジング１３’に固定される部分を有したビーム部の板状部材差込み部１４側の部分と可動作動部を成すビーム部の板状部材差込み部１４側の部分との間に配される。
【００９４】
このとき、絶縁ハウジング１３’に配列配置された複数の第２のコンタクト１７のうちの、複数の第２のコンタクト１７の配列方向における一端に配されたコンタクト１７Ａは、そのいずれの部分も絶縁ハウジング１３’の端部１８’に配された実装用金属部材２０’における接触検知部４３’に接触しないものとされるとともに、複数の第２のコンタクト１７の配列方向における他端に配されたコンタクト１７Ｂも、そのいずれの部分も絶縁ハウジング１３’の端部１９’に配された実装用金属部材２１’における接触検知部４６’に接触しないものとされる。従って、アクチュエータ２５が第１の静止位置をとるもとにおいては、絶縁ハウジング１３’の端部１８’に配された実装用金属部材２０’における接触検知部４３’が複数の第２のコンタクト１７のうちのコンタクト１７Ａとの電気的接続状態にはおかれず、また、絶縁ハウジング１３’の端部１９’に配された実装用金属部材２１’における接触検知部４６’も複数の第２のコンタクト１７のうちのコンタクト１７Ｂとの電気的接続状態にはおかれないことになる。
【００９５】
上述のように、フレキシブル印刷配線基板１２’の端子端部６３’が絶縁ハウジング１３’内の板状部材収容部１５に部分的に収容され、フレキシブル印刷配線基板１２’の端子端部６３’が、板状部材収容部１５内において、複数の第１のコンタクト１６の夫々における絶縁ハウジング１３’に固定される部分を有したビーム部３６の板状部材差込み部１４側の部分と可動作動部を成すビーム部３７の板状部材差込み部１４側の部分との間、及び、複数の第２のコンタクト１７の夫々における絶縁ハウジング１３’に固定される部分を有したビーム部の板状部材差込み部１４側の部分と可動作動部を成すビーム部の板状部材差込み部１４側の部分との間に配されたもとにあっては、絶縁ハウジング１３’に配列配置された複数の第１のコンタクト１６が、板状部材収容部１５に部分的に収容されたフレキシブル印刷配線基板１２’の端子端部６３’に配された複数の第１の接触端子部６１に夫々適正に対応する位置をとるものとされるとともに、絶縁ハウジング１３’に配列配置された複数の第２のコンタクト１７が、板状部材収容部１５に部分的に収容されたフレキシブル印刷配線基板１２’の端子端部６３’に配された複数の第２の接触端子部６２に夫々適正に対応する位置をとるものとされる。
【００９６】
その後、アクチュエータ２５が、第１の静止位置から第２の静止位置へと絶縁ハウジング１３’に対して回動せしめられ、図１６に示されるように、第２の静止位置をとるものとされると、板状部材差込み部１４を通じて絶縁ハウジング１３’に差し込まれ、絶縁ハウジング１３’内の板状部材収容部１５に部分的に収容されたフレキシブル印刷配線基板１２’の端子端部６３’に、絶縁ハウジング１３’に配列配置された複数の第１のコンタクト１６及び複数の第２のコンタクト１７が係合する状態がとられる。このようなフレキシブル印刷配線基板１２’の端子端部６３’に対する複数の第１のコンタクト１６及び複数の第２のコンタクト１７の係合は、複数の第１のコンタクト１６及び複数の第２のコンタクト１７が、フレキシブル印刷配線基板１２’の端子端部６３’に配された複数の第１の接触端子部６１及び複数の第２の接触端子部６１に夫々押圧接触するものとされることによりなされる。
【００９７】
斯かる際においては、第１の静止位置をとって絶縁ハウジング１３’に対して起き上がった状態におかれたアクチュエータ２５が、第１の静止位置から第２の静止位置に移行すべく回動せしめられ、絶縁ハウジング１３’に対して伏した状態におかれることに伴う、アクチュエータ２５に設けられた複数のカム部２７の動作、及び、それによりもたらされる複数の第１のコンタクト１６及び複数の第２のコンタクト１７の動作が、前述のコネクタ装置１０の場合と同様に行われる。それにより、複数の第１のコンタクト１６の夫々のビーム部３７は、その端部が形成する接触部１６ｂが板状部材収容部１５に部分的に収容されたフレキシブル印刷配線基板１２’の端子端部６３’に配された複数の第１の接触端子部６１のうちの対応するものに当接する状態におかれ、また、複数の第２のコンタクト１７の夫々における可動作動部を成すビーム部は、その端部が形成する接触部が板状部材収容部１５に部分的に収容されたフレキシブル印刷配線基板１２’の端子端部６３’に配された複数の第２の接触端子部６２のうちの対応するものに当接する状態におかれる。
【００９８】
その結果、板状部材収容部１５に部分的に収容されたフレキシブル印刷配線基板１２’の端子端部６３’に配された複数の第１の接触端子部６１及び複数の第２の接触端子部６２の夫々が、複数の第１のコンタクト１６のうちの対応するもの、あるいは、複数の第２のコンタクト１７のうちのコンタクト１７Ａ及び１７Ｂ以外のもので対応するものを通じて、絶縁ハウジング１３’が配された配線基板１１に設けられた配線部に電気的に接続されることになる。
【００９９】
このようにして、フレキシブル印刷配線基板１２’の端子端部６３’が板状部材差込み部１４を通じて絶縁ハウジング１３’に差し込まれ、絶縁ハウジング１３’内の板状部材収容部１５に部分的に収容されたもとにおいて、アクチュエータ２０が第２の静止位置をとるときには、複数の第１のコンタクト１６の夫々が、板状部材収容部１５に部分的に収容されたフレキシブル印刷配線基板１２’の端子端部６３’に配された複数の第１の接触端子部６１のうちの対応するものに押圧接触する状態におかれ、また、複数の第２のコンタクト１７の夫々が、板状部材収容部１５に部分的に収容されたフレキシブル印刷配線基板１２’の端子端部６３’に配された複数の第２の接触端子部６２のうちの対応するものに押圧接触する状態におかれる。それゆえ、アクチュエータ２５がとる第２の静止位置は、複数の第１のコンタクト１６及び複数の第２のコンタクト１７を、板状部材差込み部１４を通じて絶縁ハウジング１３’に差し込まれたフレキシブル印刷配線基板１２’に押圧接触する状態をとるものとする、押圧動作位置であることになる。即ち、アクチュエータ２５は、フレキシブル印刷配線基板１２’の端子端部６３’が板状部材差込み部１４を通じて絶縁ハウジング１３’に差し込まれ、絶縁ハウジング１３’内の板状部材収容部１５に部分的に収容されたもとにおいて、複数の第１のコンタクト１６及び複数の第２のコンタクト１７を、板状部材差込み部１４を通じて絶縁ハウジング１３’に差し込まれたフレキシブル印刷配線基板１２’に押圧接触する状態をとるものとする、押圧動作位置をとるものとされているのである。
【０１００】
また、フレキシブル印刷配線基板１２’の端子端部６３’が絶縁ハウジング１３’内の板状部材収容部１５に部分的に収容されたもとにおいて、アクチュエータ２５が第２の静止位置、即ち、押圧動作位置をとることにより、複数の第２のコンタクト１７に含まれるコンタクト１７Ａにおける絶縁ハウジング１３' に固定される部分を有するビーム部の絶縁ハウジング１３' の背面側端縁部側の端部と可動作動部を成すビーム部の絶縁ハウジング１３' の背面側端縁部側の端部との両者に係合するカム部２７の極大寸法部が、可動作動部を成すビーム部に、絶縁ハウジング１３' に固定される部分を有するビーム部における端部が成す接続端子部と可動作動部を成すビーム部の端部が形成する係合係止部とが板状部材収容部１５内において形成する相互間間隔を狭めるように変位させることになる応力を作用させるときには、図１７に示されるように、カム部２７の極大寸法部によって変位せしめられたコンタクト１７Ａの可動作動部を成すビーム部が、絶縁ハウジング１３' における端部１8 ' に配された実装用金属部材２0'における接触検知部４3 ' に当接するものとされる。それにより、実装用金属部材２０’がコンタクト１７Ａとの電気的接続状態におかれる。
【０１０１】
同様に、フレキシブル印刷配線基板１２’の端子端部６３’が絶縁ハウジング１３’内の板状部材収容部１５に部分的に収容されたもとにおいて、アクチュエータ２５が押圧動作位置をとることにより、複数の第２のコンタクト１７に含まれるコンタクト１７Ｂにおける絶縁ハウジング１３' に固定される部分を有するビーム部の絶縁ハウジング１３' の背面側端縁部側の端部と可動作動部を成すビーム部の絶縁ハウジング１３' の背面側端縁部側の端部との両者に係合するカム部２７の極大寸法部が、可動作動部を成すビーム部に、絶縁ハウジング１３' に固定される部分を有するビーム部における端部が成す接続端子部と可動作動部を成すビーム部の端部が形成する係合係止部とが板状部材収容部１５内において形成する相互間間隔を狭めるように変位させることになる応力を作用させるときには、図示が省略されているが、カム部２７の極大寸法部によって変位せしめられたコンタクト１７Ｂの可動作動部を成すビーム部が、絶縁ハウジング１３' における端部１９' に配された実装用金属部材２１’における接触検知部４６' に当接するものとされる。それにより、実装用金属部材２１’がコンタクト１７Ａとの電気的接続状態におかれる。
【０１０２】
従って、コネクタ装置８０にあっては、フレキシブル印刷配線基板１２’の端子端部６３’が絶縁ハウジング１３’内の板状部材収容部１５に部分的に収容されたもとにおいて、アクチュエータ２５が押圧動作位置を適正に維持するときには、実装用金属部材２０’が複数の第２のコンタクト１７に含まれるコンタクト１７Ａとの電気的接続状態におかれるとともに、実装用金属部材２１’が複数の第２のコンタクト１７に含まれるコンタクト１７Ｂとの電気的接続状態におかれることになる。
【０１０３】
その後、コネクタ装置８０は、必要に応じて、押圧動作位置である第２の静止位置をとるアクチュエータ２５を、複数の第１のコンタクト１６及び複数の第２のコンタクト１７に板状部材差込み部１４を通じて絶縁ハウジング１３’に差し込まれたフレキシブル印刷配線基板１２’に対する押圧接触状態から解放された状態をとらせるべく、第１の静止位置に移行させるものとされる。
【０１０４】
コネクタ装置８０において第２の静止位置をとるアクチュエータ２５が第１の静止位置に移行せしめられる際に行われる動作は、前述のコネクタ装置１０において第２の静止位置をとるアクチュエータ２５が第１の静止位置に移行せしめられる際に行われる動作と同様である。
【０１０５】
そして、アクチュエータ２５の第２の静止位置から第１の静止位置への移行に伴って、複数の第２のコンタクト１７に含まれるコンタクト１７Ａにおける絶縁ハウジング１３' に固定される部分を有するビーム部の絶縁ハウジング１３' の背面側端縁部側の端部と可動作動部を成すビーム部の絶縁ハウジング１３' の背面側端縁部側の端部との両者に係合するカム部２７の極大寸法部以外の部分が、可動作動部を成すビーム部に、絶縁ハウジング１３’に固定される部分を有したビーム部の絶縁ハウジング１３’の板状部材差込み部１４側の部分と可動作動部をなすビーム部における接触部とが板状部材収容部１５内において形成する相互間間隔を広げる方向に変位する状態をとらせ、コンタクト１７Ａにおける可動作動部を成すビーム部が、絶縁ハウジング１３’における端部１８’に配された実装用金属部材２０’における接触検知部４３’に当接しないものとされる。それにより、実装用金属部材２０’が複数の第２のコンタクト１７に含まれるコンタクト１７Ａとの電気的接続状態を解除する。
【０１０６】
同様に、アクチュエータ２５の第２の静止位置から第１の静止位置への移行に伴って、複数の第２のコンタクト１７に含まれるコンタクト１７Ｂにおける絶縁ハウジング１３' に固定される部分を有するビーム部の絶縁ハウジング１３' の背面側端縁部側の端部と可動作動部を成すビーム部の絶縁ハウジング１３' の背面側端縁部側の端部との両者に係合するカム部２７の極大寸法部以外の部分が、可動作動部を成すビーム部に、絶縁ハウジング１３’に固定される部分を有したビーム部の絶縁ハウジング１３’の板状部材差込み部１４側の部分と可動作動部をなすビーム部における接触部とが板状部材収容部１５内において形成する相互間間隔を広げる方向に変位する状態をとらせ、コンタクト１７Ｂにおける可動作動部を成すビーム部が、絶縁ハウジング１３’における端部１９’に配された実装用金属部材２１’における接触検知部４６’に当接しないものとされる。それにより、実装用金属部材２１’が複数の第２のコンタクト１７に含まれるコンタクト１７Ｂとの電気的接続状態を解除する。
【０１０７】
このようなもとで、図１８は、アクチュエータ２５が第２の静止位置、即ち、押圧動作位置を適正に維持するものとされて、実装用金属部材２０’が複数の第２のコンタクト１７に含まれるコンタクト１７Ａとの電気的接続状態におかれるとともに実装用金属部材２１’が複数の第２のコンタクト１７に含まれるコンタクト１７Ｂとの電気的接続状態におかれているか否かを検出するための検出手段の一例を概念的に示す。
【０１０８】
図１８に概念的に示される検出手段にあっては、複数の第２のコンタクト１７に含まれるコンタクト１７Ａの可動作動部を成すビーム部が絶縁ハウジング１３’における端部１８’に配された実装用金属部材２０’における接触検知部４３’に当接する状態と当接しない状態をとることにより形成される機械的接触／非接触機構が、スイッチ８１として、また、複数の第２のコンタクト１７に含まれるコンタクト１７Ｂの可動作動部を成すビーム部が絶縁ハウジング１３’における端部１９’に配された実装用金属部材２１’における接触検知部４６’に当接する状態と当接しない状態をとることにより形成される機械的接触／非接触機構が、スイッチ８２として、夫々模式的に示されている。
【０１０９】
そして、図１８に概念的に示される検出手段が用いられる際には、実装用金属部材２０’の基板接続部４２’が接続された配線基板１１における接地接続部８３（図１８においては、スイッチ８１の一端が接続されたものとされている。）と、実装用金属部材２１’の基板接続部が接続された配線基板１１における接地接続部８４（図１８においては、スイッチ８２の一端が接続されたものとされている。）とが相互連結されるとともに、複数の第２のコンタクト１７に含まれるコンタクト１７Ａにおける接続端子部１７ａが接続された配線基板１１における接続固定部８５（図１８においては、スイッチ８１の他端が接続されたものとされている。）と、複数の第２のコンタクト１７に含まれるコンタクト１７Ｂにおける接続端子部１７ａが接続された配線基板１１における接続固定部８６（図１８においては、スイッチ８２の他端が接続されたものとされている。）との間に、直流電源８７と並列接続された抵抗素子８８と発行ダイオード８９とが直列に接続される。なお、接続固定部８５と接続固定部８６との間には、複数の第２のコンタクト１７のうちのコンタクト１７Ａ及びコンタクト１７Ｂ以外のものにおける接続端子部１７ａが夫々接続された配線基板１１における複数の配線端子部９０が配列配置されている。
【０１１０】
斯かるもとで、アクチュエータ２５が押圧動作位置を適正に維持するものとされて、実装用金属部材２０’が複数の第２のコンタクト１７に含まれるコンタクト１７Ａとの電気的接続状態におかれるとともに実装用金属部材２１’が複数の第２のコンタクト１７に含まれるコンタクト１７Ｂとの電気的接続状態におかれているときには、コンタクト１７Ａにおける可動作動部を成すビーム部が実装用金属部材２０’における接触検知部４３’に当接する状態をとってスイッチ８１がオンとされるとともに、コンタクト１７Ｂにおける可動作動部をなすビーム部が実装用金属部材２１’における接触検知部４６’に当接する状態をとってスイッチ８２がオンとされることになり、直流電源８７の正極から抵抗素子８８と発行ダイオード８９との並列接続，接続固定部８６，スイッチ８２，接地接続部８４，接地接続部８３，スイッチ８１及び接続固定部８５を通じて直流電源８７の負極に至る閉回路が形成されて、抵抗素子８８及び発行ダイオード８９の夫々を直流電源８７からの直流電流が流れる。その結果、発行ダイオード８９が発光状態に維持される。
【０１１１】
それに対して、アクチュエータ２５が押圧動作位置を適正に維持するものとされず、実装用金属部材２０’が複数の第２のコンタクト１７に含まれるコンタクト１７Ａとの電気的接続状態におかれていず、あるいは、実装用金属部材２１’が複数の第２のコンタクト１７に含まれるコンタクト１７Ｂとの電気的接続状態におかれていないときには、コンタクト１７Ａにおける可動作動部を成すビーム部が実装用金属部材２０’における接触検知部４３’に当接しない状態をとってスイッチ８１がオフとされ、あるいは、コンタクト１７Ｂにおける可動作動部をなすビーム部が実装用金属部材２１’における接触検知部４６’に当接しない状態をとってスイッチ８２がオフとされることになり、直流電源８７の正極から抵抗素子８８と発行ダイオード８９との並列接続，接続固定部８６，スイッチ８２，接地接続部８４，接地接続部８３，スイッチ８１及び接続固定部８５を通じて直流電源８７の負極に至る閉回路が形成されず、抵抗素子８８及び発行ダイオード８９の夫々を直流電源８７からの直流電流が流れる状態は得られない。その結果、発行ダイオード８９が非発光状態に維持される。
【０１１２】
これよりして、図１８に概念的に示される検出手段によれば、発行ダイオード８９が発光状態に維持されるか否かによって、アクチュエータ２５が押圧動作位置を適正に維持するものとされて、実装用金属部材２０’が複数の第２のコンタクト１７に含まれるコンタクト１７Ａとの電気的接続状態におかれるとともに実装用金属部材２１’が複数の第２のコンタクト１７に含まれるコンタクト１７Ｂとの電気的接続状態におかれているか否かを検出することができる。
【０１１３】
上述のような本願発明に係るコネクタ装置の第２の例を成すコネクタ装置８０にあっては、絶縁ハウジング１３’に板状部材差込み部１４を通じてフレキシブル印刷配線基板１２’が差し込まれたもとで、アクチュエータ２５が押圧動作位置を適正に維持するときには、アクチュエータ２５が係合する複数の第１のコンタクト１６及び複数の第２のコンタクト１７が、絶縁ハウジング１３’に差し込まれたフレキシブル印刷配線基板１２’に押圧接触する状態をとるものとされ、また、実装用金属部材２０’における接触検知部４３’が、絶縁ハウジング１３’に設けられた導電部材を成す複数の第２のコンタクト１７に含まれるコンタクト１７Ａとの電気的接続状態におかれるとともに、実装用金属部材２１’における接触検知部４６’が、絶縁ハウジング１３’に設けられた導電部材を成す複数の第２のコンタクト１７に含まれるコンタクト１７Ｂとの電気的接続状態におかれる。そして、実装用金属部材２０’における接触検知部４３’の複数の第２のコンタクト１７に含まれるコンタクト１７Ａとの電気的接続状態及び実装用金属部材２１’における接触検知部４６’の複数の第２のコンタクト１７に含まれるコンタクト１７Ｂとの電気的接続状態は、アクチュエータ２５が押圧動作位置を適正に維持する状態にないものとされるとき解除される。
【０１１４】
それにより、アクチュエータ２５が、絶縁ハウジング１３’に配列配置された複数の第１のコンタクト１６及び複数の第２のコンタクト１７を絶縁ハウジング１３’に差し込まれたフレキシブル印刷配線基板１２’に押圧接触する状態をとるものとする押圧動作位置を適正に維持するものとされた状態にあることを、実装用金属部材２０’における接触検知部４３’が、絶縁ハウジング１３’に設けられた導電部材を成す複数の第２のコンタクト１７に含まれるコンタクト１７Ａとの電気的接続状態におかれるとともに、実装用金属部材２１’における接触検知部４６’が、絶縁ハウジング１３’に設けられた導電部材を成す複数の第２のコンタクト１７に含まれるコンタクト１７Ｂとの電気的接続状態におかれていることを検出する電気的手法により、確実に認知することができる。
【０１１５】
その結果、コネクタ装置８０によれば、その全体の小型化及び薄型化が図られたもとにあっても、アクチュエータ２５が、絶縁ハウジング１３’に配列配置された複数の第１のコンタクト１６及び複数の第２のコンタクト１７を絶縁ハウジング１３’に差し込まれたフレキシブル印刷配線基板１２’に押圧接触する状態をとるものとする押圧動作位置を適正に維持するものとされた状態にあることを、機械的感触に頼ることなく、随時必要に応じて、電気的手法により認知することができることになる。
【産業上の利用可能性】
【０１１６】
以上のような本願発明に係るコネクタ装置は、フレキシブル印刷配線基板等とされる配線板状部材の他の配線基板への取付けに用いられる、板状部材差込み部が設けられて配線基板に配される絶縁ハウジングに複数のコンタクトが配列配置されて配されるとともに、複数のコンタクトに係合するアクチュエータが絶縁ハウジングに対して回動可能とされて設けられ、アクチュエータが複数のコンタクトを絶縁ハウジングに差し込まれた配線板状部材に押圧接触する状態をとるものとする押圧動作位置をとるコネクタ装置であって、その全体の小型化及び薄型化が図られたもとにあっても、アクチュエータが押圧動作位置を適正にとってその押圧動作位置を適正に維持した状態にあることを、機械的感触に頼ることなく、電気的手法により認知することができるものとして、様々な電子機器等に広く適用され得るものである。
【符号の説明】
【０１１７】
１０，８０・・・コネクタ装置，  １１・・・配線基板，  １２，１２’・・・フレキシブル印刷配線基板，  １３，１３’・・・絶縁ハウジング，  １４・・・板状部材差込み部，  １５・・・板状部材収容部，  １６・・・第１のコンタクト，  １６ａ，１７ａ，５０ａ・・・接続端子部，  １６ｂ・・・接触部，  １７・・・第２のコンタクト，  １７Ａ，１７Ｂ・・・コンタクト，  １８，１８’，１９，１９’・・・（絶縁ハウジング１３，１３’の）端部，  ２０，２０’，２１，２１’・・・実装用金属部材，  ２５・・・アクチュエータ，  ２６・・・透孔，  ２７，２８・・・カム部，  ３５，５２・・・連結部，  ３６，３７，５３，５４・・・ビーム部，  ４１，４１’，４４，４４’・・・本体部分，  ４２，４２’，４５・・・基板接続部，  ４３，４３’，４６，４６’・・・接触検知部，  ５０，５１・・・係止部材，  ５０ｂ・・・係合係止部，  ６１・・・第１の接触端子部，  ６２・・・第２の接触端子部，  ６３，６３’・・・端子端部，  ６４，６５・・・（端子端部６３の）側端部，  ６６，６７・・・切欠き係合部，  ６８，６８’・・・回路構成部，  ７１，７２，８１，８２・・・スイッチ，  ７３，７４，８３，８４・・・接地接続部，  ７５，７６，８５，８６・・・接続固定部，  ７７，８７・・・直流電源，  ７８，８８・・・抵抗素子，  ７９，８９・・・発光ダイオード７９，  ９０・・・配線端子部
【図１】
2018037264.tif 000003
【図２】
2018037264.tif 000004
【図３】
2018037264.tif 000005
【図４】
2018037264.tif 000006
【図５】
2018037264.tif 000007
【図６】
2018037264.tif 000008
【図７】
2018037264.tif 000009
【図８】
2018037264.tif 000010
【図９】
2018037264.tif 000011
【図１０】
2018037264.tif 000012
【図１１】
2018037264.tif 000013
【図１２】
2018037264.tif 000014
【図１３】
2018037264.tif 000015
【図１４】
2018037264.tif 000016
【図１５】
2018037264.tif 000017
【図１６】
2018037264.tif 000018
【図１７】
2018037264.tif 000019
【図１８】
2018037264.tif 000020